(57)【特許請求の範囲】
【請求項１】
少なくとも１つの無線周波数（ＲＦ）送受信機と、
少なくとも１つのＲＦアンテナと、
ロジックとを備えるユーザ機器（ＵＥ）であって、
前記ロジックの少なくとも一部がハードウェアにあり、前記ロジックは、
無線アクセスネットワーク（ＲＡＮ）補助情報を有する受信された無線リソース制御（ＲＲＣ）メッセージを処理し、
前記ＲＡＮ補助情報に含まれるアクセス閾値と、対応する測定値とに基づいて、アクセスネットワーク発見選択機能（ＡＮＤＳＦ）管理オブジェクト（ＭＯ）ルーティングポリシーの閾値条件を評価し、
前記ＲＡＮ補助情報に含まれるオフロードプレファレンスインジケータ（ＯＰＩ）とＯＰＩビットマップとに基づいて、前記ＡＮＤＳＦ  ＭＯルーティングポリシーのＯＰＩ条件を評価し、
前記閾値条件の前記評価及び前記ＯＰＩ条件の前記評価に基づいて、インターネットプロトコル（ＩＰ）トラフィックをルーティングすべく、前記ＡＮＤＳＦ  ＭＯルーティングポリシーを適用する、
ＵＥ。
【請求項２】
前記ＡＮＤＳＦ  ＭＯルーティングポリシーは、システム間ルーティングポリシー（ＩＳＲＰ）を有する、請求項１に記載のＵＥ。
【請求項３】
前記ＡＮＤＳＦ  ＭＯルーティングポリシーは、アクセスポイントネーム間ルーティングポリシー（ＩＡＲＰ）を有する、請求項１に記載のＵＥ。
【請求項４】
前記アクセス閾値は、基準信号受信電力（ＲＳＲＰ）閾値を有する、請求項１から３の何れか一項に記載のＵＥ。
【請求項５】
前記アクセス閾値は、基準信号受信品質（ＲＳＲＱ）閾値を有する、請求項１から４の何れか一項に記載のＵＥ。
【請求項６】
前記アクセス閾値は、基本サービスセット（ＢＳＳ）負荷閾値又はバックホール閾値を有する、請求項１から５の何れか一項に記載のＵＥ。
【請求項７】
前記ロジックは、前記ＡＮＤＳＦ  ＭＯルーティングポリシーを適用することと併せて、１又は複数のＲＡＮルールを無視する、請求項１から６の何れか一項に記載のＵＥ。
【請求項８】
少なくとも１つのメモリユニットと、
タッチスクリーンディスプレイと
を備える、請求項１から７の何れか一項に記載のＵＥ。
【請求項９】
ユーザ機器（ＵＥ）に、
アクセスネットワーク発見選択機能（ＡＮＤＳＦ）管理オブジェクト（ＭＯ）を、前記ＵＥのサービング公衆陸上移動ネットワーク（ＰＬＭＮ）のシステム間ルーティングポリシー（ＩＳＲＰ）で構成させ、
１又は複数のアクセス閾値を有する受信された無線アクセスネットワーク（ＲＡＮ）補助情報を処理させ、
前記１又は複数のアクセス閾値に基づいて、前記ＩＳＲＰの１又は複数の閾値条件を評価すること及び前記ＲＡＮ補助情報に含まれるオフロードプレファレンスインジケータ（ＯＰＩ）とＯＰＩビットマップとに基づいて、前記ＩＳＲＰのＯＰＩ条件を評価することによって、前記ＩＳＲＰに従って、複数の無線アクセスインターフェースにわたってインターネットプロトコル（ＩＰ）トラフィックをルーティングさせる、
プログラム。
【請求項１０】
前記ＵＥに、前記サービングＰＬＭＮに対するＡＮＤＳＦサーバから発信するＡＮＤＳＦ情報に基づいて、前記ＡＮＤＳＦ  ＭＯを構成させる、請求項９に記載のプログラム。
【請求項１１】
前記複数の無線アクセスインターフェースは、第３世代パートナーシッププロジェクト（３ＧＰＰ）無線アクセスインターフェースと、無線ローカルエリアネットワーク（ＷＬＡＮ）無線アクセスインターフェースとを含む、請求項９又は１０に記載のプログラム。
【請求項１２】
前記１又は複数のアクセス閾値は、１又は複数の基準信号受信電力（ＲＳＲＰ）閾値を含む、請求項９から１１の何れか一項に記載のプログラム。
【請求項１３】
前記１又は複数のアクセス閾値は、１又は複数の基準信号受信品質（ＲＳＲＱ）閾値を含む、請求項９から１２の何れか一項に記載のプログラム。
【請求項１４】
前記１又は複数のアクセス閾値は、１又は複数の基本サービスセット（ＢＳＳ）負荷閾値を含む、請求項９から１３の何れか一項に記載のプログラム。
【請求項１５】
前記１又は複数のアクセス閾値は、１又は複数のバックホール閾値を含む、請求項９から１４の何れか一項に記載のプログラム。
【請求項１６】
請求項９から１５の何れか一項に記載のプログラムを格納したコンピュータ可読記録媒体。
【請求項１７】
ロジックを備える装置であって、
前記ロジックの少なくとも一部がハードウェアにあり、
前記ロジックは、
ユーザ機器（ＵＥ）のサービングセルと関連する無線リソース制御（ＲＲＣ）情報を処理し、前記ＲＲＣ情報は、１又は複数のアクセス閾値を含む無線アクセスネットワーク（ＲＡＮ）補助情報を有し、
前記ＵＥに対するアクセスネットワーク発見選択機能（ＡＮＤＳＦ）管理オブジェクト（ＭＯ）のルーティングポリシーを構成し、
少なくとも１つのアクセス閾値に対する対応する測定値を特定し、前記少なくとも１つのアクセス閾値を、その対応する測定値と比較し、かつ、前記ＲＡＮ補助情報に含まれるオフロードプレファレンスインジケータ（ＯＰＩ）とＯＰＩビットマップとに基づいて、前記ルーティングポリシーのＯＰＩ条件を評価することによって、前記ルーティングポリシーに基づいて、１又は複数のインターネットプロトコル（ＩＰ）トラフィックフローを処理するためのプロシージャを決定する、
装置。
【請求項１８】
前記１又は複数のアクセス閾値は、１又は複数の基準信号受信電力（ＲＳＲＰ）閾値を含む、請求項１７に記載の装置。
【請求項１９】
前記１又は複数のアクセス閾値は、１又は複数の基準信号受信品質（ＲＳＲＱ）閾値を含む、請求項１７又は１８に記載の装置。
【請求項２０】
前記１又は複数のアクセス閾値は、１又は複数の基本サービスセット（ＢＳＳ）負荷閾値を含む、請求項１７から１９の何れか一項に記載の装置。
【請求項２１】
前記１又は複数のアクセス閾値は、１又は複数のバックホール閾値を含む、請求項１７から２０の何れか一項に記載の装置。
【請求項２２】
前記決定されたプロシージャは、複数のパケットデータネットワーク（ＰＤＮ）接続にわたってＩＰトラフィックをルーティングすることを有する、請求項１７から２１の何れか一項に記載の装置。
【請求項２３】
前記決定されたプロシージャは、ＩＰトラフィックを、無線ローカルエリアネットワーク（ＷＬＡＮ）に非シームレスにオフロードすることを有する、請求項１７から２１の何れか一項に記載の装置。
【請求項２４】
前記ロジックは、Ｓ１４インターフェースを介して受信されたＡＮＤＳＦ情報に基づいて、前記ルーティングポリシーを構成する、請求項１７から２３の何れか一項に記載の装置。
【発明の詳細な説明】
【技術分野】
【０００１】
［関連事例］本願は、２０１４年３月２４日に出願された米国仮特許出願第６１／９６９，７８５号の優先権を主張し、その全体が本明細書において参照として組み込まれる。
【０００２】
本明細書における複数の実施形態は概して、ブロードバンド無線通信ネットワークにおける複数のデバイス間の通信に関連する。
【背景技術】
【０００３】
一般動作中に、進化型ユニバーサルモバイルテレコミュニケーションシステム地上無線アクセスネットワーク（Ｅ−ＵＴＲＡＮ）のような第３世代パートナーシッププロジェクト（３ＧＰＰ）無線アクセスネットワークにおけるユーザ機器（ＵＥ）は、同時のＷｉ−Ｆｉ及び３ＧＰＰ  ＲＡＮデータのコネクティビティを維持することが可能となり得る。Ｗｉ−Ｆｉデータのコネクティビティを確立することと併せて、ＵＥは、複数のＷＬＡＮを発見し得、Ｗｉ−Ｆｉデータのコネクティビティを取得するのに介するＷＬＡＮを決定するために、それらの発見された複数のＷＬＡＮの中から選択することを必要とし得る。同時のＷｉ−Ｆｉ及び３ＧＰＰ  ＲＡＮデータのコネクティビティが一旦確立されると、ＵＥは、３ＧＰＰ  ＲＡＮを経由してどのトラフィックタイプ及び／又はフローをルーティングするか、及び、ＷＬＡＮを経由してどのトラフィックタイプ及び／又はフローをルーティングするかを決定することを必要とし得る。進化型ノードＢ（ｅＮＢ）、アクセスネットワーク発見選択機能（ＡＮＤＳＦ）サーバのような複数のソース、及びＵＥのユーザは、ＵＥに、複数のルール、複数のパラメータ、複数のプレファレンス、及び／又はＷＬＡＮの選択及び／又はトラフィックルーティングを実行するためにＵＥが使用し得る他の情報を提供し得る。
【図面の簡単な説明】
【０００４】
【図１】第１の動作環境の実施形態を示す。
【図２】第２の動作環境の実施形態を示す。
【図３】優先度スキームの実施形態を示す。
【図４】コネクティビティプロシージャの実施形態を示す。
【図５】第１のロジックフローの実施形態を示す。
【図６】第２のロジックフローの実施形態を示す。
【図７】第３のロジックフローの実施形態を示す。
【図８】第４のロジックフローの実施形態を示す。
【図９】第５のロジックフローの実施形態を示す。
【図１０】第６のロジックフローの実施形態を示す。
【図１１】記憶媒体の実施形態を示す。
【図１２】デバイスの実施形態を示す。
【図１３】無線ネットワークの実施形態を示す。
【発明を実施するための形態】
【０００５】
様々な実施形態は概して、無線ネットワーク選択、及び複数のトラフィックルーティングルールの連携アプリケーションのための複数の技術を対象とし得る。一実施形態において、例えば、ユーザ機器（ＵＥ）は、少なくとも１つの無線周波数（ＲＦ）送受信機と、少なくとも１つのＲＦアンテナと、ロジックとを備え得、ロジックの少なくとも一部がハードウェアにあり、ロジックは、無線アクセスネットワーク（ＲＡＮ）補助情報を有する受信された無線リソース制御（ＲＲＣ）メッセージを処理し、ＲＡＮ補助情報に含まれるアクセス閾値と、対応する測定値とに基づいて、アクセスネットワーク発見選択機能（ＡＮＤＳＦ）管理オブジェクト（ＭＯ）ルーティングポリシーの閾値条件を評価し、閾値条件の評価に基づいて、インターネットプロトコル（ＩＰ）トラフィックをルーティングすべく、ＡＮＤＳＦ  ＭＯルーティングポリシーを適用する。他の複数の実施形態が説明され、請求される。
【０００６】
様々な実施形態は、１又は複数の要素を備え得る。要素は、特定の複数の動作を実行するように構成される任意の構造を備え得る。各要素は、複数の設計パラメータ又は複数の性能の制約の所与のセットに望ましい、ハードウェア、ソフトウェア又はそれらの任意の組み合わせとして実装され得る。実施形態は、例として、特定のトポロジの限定的な数の要素で説明され得るが、実施形態は、所与の実装に望ましい複数の代替のトポロジにおいて多かれ少なかれ複数の要素を含み得る。「一実施形態」又は「実施形態」というあらゆる記載は、実施形態に関連して説明される特定の特徴、構造又は特性が、少なくとも１つの実施形態に含まれることを意味することに留意するに値する。本明細書の様々な箇所における「一実施形態において」、「いくつかの実施形態において」及び「様々な実施形態において」という複数の表現の出現は、必ずしも全てが同一の実施形態を参照しない。
【０００７】
本明細書において開示される複数の技術は、１又は複数の無線モバイルブロードバンド技術を用いた１又は複数の無線接続によるデータ送信を含み得る。例えば、様々な実施形態は、１又は複数の第３世代パートナーシッププロジェクト（３ＧＰＰ）、３ＧＰＰロングタームエボリューション（ＬＴＥ）及び／又は３ＧＰＰ  ＬＴＥアドバンスト（ＬＴＥ−Ａ）技術、及び／又はそれらの複数の改訂、後継及び改編を含む複数の規格に従った１又は複数の無線接続による複数の送信を含み得る。様々な実施形態は、加えて又は代替的に、１又は複数のグローバル・システム・フォー・モバイル・コミュニケーションズ（ＧＳＭ（登録商標））／ＧＳＭ（登録商標）進化型高速データレート（ＥＤＧＥ）、ユニバーサルモバイルテレコミュニケーションシステム（ＵＭＴＳ）／高速パケットアクセス（ＨＳＰＡ）、及び／又はＧＳＭ（登録商標）と汎用パケット無線サービス（ＧＰＲＳ）システム（ＧＳＭ（登録商標）／ＧＰＲＳ）技術、及び／又はこれらの改訂、後継及び改編を含む複数の規格に従った複数の送信を含み得る。
【０００８】
複数の無線モバイルブロードバンド技術、及び／又は複数の規格の複数の例はまた、限定的ではないが、電気電子技術者協会（ＩＥＥＥ）８０２．１６ｍ及び／又は８０２．１６ｐのようなＩＥＥＥ８０２．１６無線ブロードバンド規格、Ｉｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ（ＩＭＴ−ＡＤＶ）、ワールドワイド・インターオペラビリティ・フォー・マイクロウェーブ・アクセス（ＷｉＭＡＸ（登録商標））及び／又はＷｉＭＡＸ  ＩＩ、コード分割多重アクセス（ＣＤＭＡ）２０００（例えば、ＣＤＭＡ２０００  ｌｘＲＴＴ、ＣＤＭＡ２０００  ＥＶ−ＤＯ、ＣＤＭＡ  ＥＶ−ＤＶ等）、Ｈｉｇｈ  Ｐｅｒｆｏｒｍａｎｃｅ  Ｒａｄｉｏ  Ｍｅｔｒｏｐｏｌｉｔａｎ  Ａｒｅａ  Ｎｅｔｗｏｒｋ（ＨＩＰＥＲＭＡＮ）、無線ブロードバンド（ＷｉＢｒｏ）、高速ダウンリンクパケットアクセス（ＨＳＤＰＡ）、高速直交周波数分割多重方式（ＯＦＤＭ）パケットアクセス（ＨＳＯＰＡ）、高速アップリンクパケットアクセス（ＨＳＵＰＡ）技術、及び／又はそれらの改訂、後継及び改編を含む複数の規格の何れかを含み得る。
【０００９】
いくつかの実施形態は、加えて又は代替的に、他の複数の無線通信技術及び／又は複数の規格に従った無線通信を含み得る。様々な実施形態において用いられ得る他の複数の無線通信技術、及び／又は複数の規格の複数の例は、限定的ではないが、ＩＥＥＥ８０２．１１、ＩＥＥＥ８０２．１１ａ、ＩＥＥＥ８０２．１１ｂ、ＩＥＥＥ８０２．１１ｇ、ＩＥＥＥ８０２．１１ｎ、ＩＥＥＥ８０２．１１ｕ、ＩＥＥＥ８０２．１１ａｃ、ＩＥＥＥ８０２．１１ａｄ、ＩＥＥＥ８０２．１１ａｆ、及び／又はＩＥＥＥ８０２．１１ａｈ規格のような他の複数のＩＥＥＥ無線通信規格、ＩＥＥＥ８０２．１１高効率ＷＬＡＮ（ＨＥＷ）研究グループによって開発された高効率Ｗｉ−Ｆｉ規格、Ｗｉ−Ｆｉ、Ｗｉ−Ｆｉダイレクト、Ｗｉ−Ｆｉダイレクトサービス、ワイヤレスギガビット（ＷｉＧｉｇ）、ＷｉＧｉｇディスプレイ拡張（ＷＤＥ）、ＷｉＧｉｇバス拡張（ＷＢＥ）、ＷｉＧｉｇシリアル拡張（ＷＳＥ）規格、及び／又はＷｉ−Ｆｉアライアンス（ＷＦＡ）近接認識ネットワーキング（ＮＡＮ）タスクグループによって開発された規格のようなＷＦＡ無線通信規格、３ＧＰＰ技術報告書（ＴＲ）２３．８８７、３ＧＰＰ技術仕様書（ＴＳ）２２．３６８、及び／又は３ＧＰＰ  ＴＳ  ２３．６８２において具現化されるもののようなマシン型通信（ＭＴＣ）規格、及び／又は上述の何れかの改訂、後継、及び／又は改編を含むＮＦＣフォーラムによって開発された規格のような近距離通信（ＮＦＣ）規格を含み得る。複数の実施形態は、これらの例に限定されない。
【００１０】
１又は複数の無線接続による送信に加えて、本明細書において開示される複数の技術は、１又は複数の有線通信媒体を介した１又は複数の有線接続によるコンテンツ送信を含み得る。有線通信媒体の複数の例は、ワイヤ、ケーブル、複数の金属リード、プリント回路基板（ＰＣＢ）、バックプレーン、スイッチファブリック、半導体材料、ツイストペアワイヤ、同軸ケーブル、光ファイバ等を含み得る。複数の実施形態は、この文脈に限定されない。
【００１１】
図１は、様々な実施形態の代表となり得るような動作環境１００の例を示す。動作環境１００において、ユーザ機器（ＵＥ）１０２は、３ＧＰＰ無線アクセスネットワーク（ＲＡＮ）のセル１０３内に位置し、セル１０３に対するサービングｅＮＢ１０４は概して、セル１０３内の複数のＵＥに、３ＧＰＰ  ＲＡＮのコネクティビティを提供する。いくつかの実施形態において、３ＧＰＰ  ＲＡＮは、進化型ユニバーサルモバイルテレコミュニケーションシステム地上無線アクセスネットワーク（Ｅ−ＵＴＲＡＮ）を備え得る。様々な実施形態において、ＵＥ１０２は、インターネットのような１又は複数のパケットデータネットワーク（ＰＤＮ）と通信を行うべく、そのような３ＧＰＰ  ＲＡＮのコネクティビティを用いることが可能となり得る。ＵＥ１０２はまた、複数の無線ローカルエリアネットワーク（ＷＬＡＮ）１０５−１及び１０５−２の通信範囲内に位置し、これに対する無線のコネクティビティがそれぞれのアクセスポイント（ＡＰ）１０６−１及び１０６−２によって提供される。いくつかの実施形態において、ＵＥ１０２は、１又は複数のＰＤＮと通信を行うべく、その３ＧＰＰ  ＲＡＮのコネクティビティを用いることに加えて、又はそれに代えて、その目的でそのようなＷＬＡＮのコネクティビティを用いることが可能となり得る。
【００１２】
様々な実施形態において、無線データのコネクティビティを管理することと併せて、ＵＥ１０２は、Ｗｉ−Ｆｉデータのコネクティビティを取得するのに介するＷＬＡＮを決定するために、複数の利用可能なＷＬＡＮの中から選択をすることを必要と得る。動作環境１００の例において、ＵＥ１０２は、ＷＬＡＮ１０５−１と１０５−２から選択することを必要とし得る。いくつかの実施形態において、その無線データのコネクティビティを管理することと併せて、ＵＥ１０２は、それが無線データのコネクティビティを有する各複数の無線アクセスのインターフェースを経由してルーティングされるべき個別のトラフィックタイプ及び／又はフローを決定することを必要とし得る。例えば、ｅＮＢ１０４を介して３ＧＰＰ  ＲＡＮデータのコネクティビティ、及びＡＰ１０６−１を介してＷｉ−Ｆｉデータのコネクティビティを確立すると、ＵＥ１０２は、どのトラフィックタイプ及び／又はフローを、３ＧＰＰ  ＲＡＮのインターフェースを経由してルーティングするのか、及びどのトラフィックタイプ及び／又はフローを、そのＷＬＡＮのインターフェースを経由してルーティングするのかを決定することを必要とし得る。複数の実施形態は、これらの例に限定されない。
【００１３】
様々な実施形態において、１又は複数の外部デバイスは、ＵＥ１０２に、ＷＬＡＮの選択、及び／又はトラフィックルーティングの決定と併せて、それが適用し得る複数のルールを提供し得る。例えば、いくつかの実施形態において、アクセスネットワーク発見選択機能（ＡＮＤＳＦ）サーバ１０８は、ＵＥ１０２に、複数のＡＮＤＳＦ指定ルール１１０を提供し得る。ＡＮＤＳＦサーバ１０８は概して、ＵＥ１０２のような複数のＵＥが、無線データ通信と併せて、無線アクセスネットワークを発見、選択、及び／又は用いることを支援するように構成される３ＧＰＰネットワーク要素を備え得る。複数のＡＮＤＳＦ指定ルール１１０は概して、ＵＥ１０２に対するＡＮＤＳＦ管理オブジェクト（ＭＯ）内に定義された複数のルールを備え得、複数のＷＬＡＮの中からの選択に適用可能な複数のルール（以下、「複数のＷＬＡＮ選択ルール」）、及び／又は複数の無線アクセスインターフェースにわたるトラフィックのルーティングに適用可能な複数のルール（以下、「複数のトラフィックルーティングルール」）を含み得る。
【００１４】
様々な実施形態において、ｅＮＢ１０４は、複数のＲＡＮ指定ルール１１２を、ＵＥ１０２に提供し得る。複数のＲＡＮ指定ルール１１２は概して、複数の基準信号受信電力（ＲＳＲＰ）、及び／又は複数の基準信号受信品質（ＲＳＲＱ）のような、複数の３ＧＰＰ  ＲＡＮパラメータに関連する複数の測定値に対する複数の閾値によって定義され、及び／又は基本サービスセット（ＢＳＳ）負荷、及び／又は複数のバックホールレートのような複数のＷＬＡＮパラメータに関連する複数の測定値に対する複数の閾値によって定義される複数のルールを備え得る。複数のＡＮＤＳＦ指定ルール１１０と同様、複数のＲＡＮ指定ルール１１２は、複数のＷＬＡＮ選択ルール、及び／又は複数のトラフィックルーティングルールを含み得る。いくつかの実施形態において、ＵＥ１０２は、１又は複数の局所指定ルール１１４で構成され得る。複数の局所指定ルール１１４は概して、ＵＥ１０２で局所的に構成される複数のユーザプレファレンス又は他の複数の設定によって定義される複数のルールを備え得る。複数のＡＮＤＳＦ指定ルール１１０、及び複数のＲＡＮ指定ルール１１２同様、複数の局所指定ルール１１４は、複数のＷＬＡＮ選択ルール、及び／又は複数のトラフィックルーティングルールを含み得る。複数の実施形態は、この文脈に限定されない。
【００１５】
図２は、様々な実施形態の代表となり得るような動作環境２００の例を示す。より具体的には、動作環境２００は、図１のＡＮＤＳＦサーバ１０８及びｅＮＢ１０４が、いくつかの実施形態において、それぞれ複数のＡＮＤＳＦ指定ルール１１０及び複数のＲＡＮ指定ルール１１２をＵＥ１０２に提供するために、ＵＥ１０２に送信し得る情報の複数の例を示す。動作環境２００に反映されるように、様々な実施形態において、ＡＮＤＳＦサーバ１０８は、図１の複数のＡＮＤＳＦ指定ルール１１０を、ＡＮＤＳＦ ＭＯ情報２１６の形式でＵＥ１０２に送信し得る。いくつかの実施形態において、ＵＥ１０２は、ＡＮＤＳＦ  ＭＯ情報２１６を、Ｓ１４インターフェース接続を介して受信し得る。様々な実施形態において、ＡＮＤＳＦ  ＭＯ情報２１６は、１又は複数のＷＬＡＮ選択ポリシー２１８を備え得る。いくつかの実施形態において、各ＷＬＡＮ選択ポリシー２１８は、ＡＮＤＳＦ  ＭＯのＷＬＡＮＳＰノードによって定義されるべきＷＬＡＮ選択ポリシーを備え得る。様々な実施形態において、ＡＮＤＳＦ  ＭＯ情報２１６は、１又は複数のトラフィックルーティングポリシー２２０を備え得る。いくつかの実施形態において、各トラフィックルーティングポリシー２２０は、ＡＮＤＳＦ  ＭＯのシステム間ルーティングポリシー（ＩＳＲＰ）ノード又はアクセスポイントネーム間ルーティングポリシー（ＩＡＲＰ）ノードによって定義されるべきトラフィックルーティングポリシーを備え得る。様々な実施形態において、ＡＮＤＳＦ  ＭＯ情報２１６をＵＥ１０２に送信することによって、ＡＮＤＳＦサーバ１０８は、ＵＥ１０２のＡＮＤＳＦ  ＭＯ２２２を、１又は複数のＷＬＡＮ選択ポリシー２１８に対応する１又は複数のＷＬＡＮＳＰノード、及び／又は１又は複数のトラフィックルーティングポリシー２２０に対応する１又は複数のＩＳＲＰ及び／又はＩＡＲＰノードで構成し得る。複数の実施形態は、この文脈に限定されない。
【００１６】
いくつかの実施形態において、ｅＮＢ１０４は、図１の複数のＲＡＮ指定ルール１１２を、ＲＡＮ補助情報２２４の形式で、ＵＥ１０２に送信し得る。様々な実施形態において、ＵＥ１０２がｅＮＢ１０４から受信するＲＡＮ補助情報２２４は、受信された無線リソース制御（ＲＲＣ）メッセージ内に含まれ得る。いくつかの実施形態において、ＲＡＮ補助情報２２４は、１又は複数のＲＡＮ指定ルール１１２を、１又は複数の閾値の形式で示し得る。様々な実施形態において、そのような閾値の各々は、閾値を、対応する測定値と比較することによって評価され得るルールを示し得る。いくつかの実施形態において、ＲＡＮ補助情報２２４は、１又は複数の３ＧＰＰアクセス閾値２２６を備え得る。様々な実施形態において、各３ＧＰＰアクセス閾値２２６は、３ＧＰＰアクセス閾値２２６を、３ＧＰＰ無線アクセスインターフェースを介した無線データのコネクティビティに関連するパラメータの対応する測定値と比較することによって評価され得るルールを示し得る。いくつかの実施形態において、複数の３ＧＰＰアクセス閾値２２６は、１又は複数の基準信号受信電力（ＲＳＲＰ）閾値、及び／又は１又は複数の基準信号受信品質（ＲＳＲＱ）閾値を含み得る。複数の実施形態は、これらの例に限定されない。
【００１７】
様々な実施形態において、ＲＡＮ補助情報２２４は、１又は複数のＷＬＡＮアクセス閾値２２８を備え得る。いくつかの実施形態において、各ＷＬＡＮアクセス閾値２２８は、ＷＬＡＮアクセス閾値２２８を、ＷＬＡＮ無線アクセスインターフェースを介した無線データのコネクティビティに関連するパラメータの対応する測定値と比較することによって評価され得るルールを示し得る。様々な実施形態において、複数のＷＬＡＮアクセス閾値２２８は、１又は複数の基本サービスセット（ＢＳＳ）負荷閾値を含み得る。例えば、いくつかの実施形態において、複数のＷＬＡＮアクセス閾値２２８は、２０１４年１０月にリリースされたＷｉ−Ｆｉ  Ａｌｌｉａｎｃｅ  Ｔｅｃｈｎｉｃａｌ  Ｃｏｍｍｉｔｔｅｅ  Ｈｏｔｓｐｏｔ  ２．０  Ｒｅｌｅａｓｅ  ２  Ｔｅｃｈｎｉｃａｌ  Ｓｐｅｃｉｆｉｃａｔｉｏｎ（「ＨｏｔＳｐｏｔ  ２．０仕様」）に従った、ＭａｘｉｍｕｍＢＳＳＬｏａｄパラメータに対応する閾値を含み得る。様々な実施形態において、複数のＷＬＡＮアクセス閾値２２８は、１又は複数のバックホール閾値を含み得る。例えば、いくつかの実施形態において、ＷＬＡＮアクセス閾値２２８は、ＨｏｔＳｐｏｔ２．０仕様に従ったＭｉｎｉｍｕｍＢａｃｋｈａｕｌＴｈｒｅｓｈｏｌｄパラメータに対応する閾値を含み得る。様々な実施形態において、ＲＡＮ補助情報２２４は、オフロードプレファレンスインジケータ（ＯＰＩ）２３０を備え得る。いくつかの実施形態において、ＯＰＩ２３０は概して、セル１０３の３ＧＰＰ  ＲＡＮにおいてどのＵＥが、複数のＷＬＡＮにトラフィックをオフロードすべきかに関して、複数のオペレータプレファレンスを示し得る。様々な実施形態において、ＯＰＩ２３０は、複数の定義されたＯＰＩクラスの各々に関して、セル１０３に対するそれぞれのインターネットプロトコル（ＩＰ）トラフィックオフロードプレファレンスを示し得る。複数の実施形態は、この文脈に限定されない。
【００１８】
いくつかの実施形態において、図１の１又は複数の局所指定ルール１１４は、ＵＥ１０２で構成される１又は複数のユーザコネクティビティプレファレンス２３２によって定義され得る。様々な実施形態において、ユーザコネクティビティプレファレンス２３２のいくつか又は全ては、ＵＥ１０２によって受信されるユーザ入力に基づいて構成され得る。いくつかの実施形態において、各ユーザコネクティビティプレファレンス２３２は、ＵＥ１０２の側のＷＬＡＮ選択及び／又はトラフィックルーティングに関連する対応するルールを示す設定又は他のパラメータを備え得る。一例において、ＵＥ１０２は、特定のＷＬＡＮが通信範囲内に存在する場合、Ｗｉ−Ｆｉデータのコネクティビティを確立するのに、その特定のＷＬＡＮが常に用いられるべきであることを示すユーザコネクティビティプレファレンス２３２で構成され得る。別の例において、ＵＥ１０２は、特定のアプリケーションと関連する複数のＩＰトラフィックフローが、３ＧＰＰ  ＲＡＮインターフェースを介して常に通信されるべきであることを示すユーザコネクティビティプレファレンス２３２で構成され得る。複数の実施形態は、これらの例に限定されない。
【００１９】
一般動作中に、ＵＥ１０２は、ＷＬＡＮ選択及び／又はトラフィックルーティングに関して決定することを周期的に必要とし得る。ＵＥ１０２に提供され得る様々なポリシー、閾値、及びプレファレンスの何れかは、任意の特定のそのような決定と併せて、潜在的に有用となり得る。しかし、ＵＥ１０２が、そのような複数のポリシー、複数の閾値、及び複数のプレファレンス、及びそれらが定義する複数のルールを状況に応じた態様で適用するように構成されていない場合、ＵＥ１０２は、適切なＷＬＡＮ選択、及び／又はトラフィックルーティング決定を行うのにそれらを用いることが不可能となり得る。例えば、図１の複数のＡＮＤＳＦ指定ルール１１０、複数のＲＡＮ指定ルール１１２、及び複数の局所指定ルール１１４は、ＵＥ１０２がＷＬＡＮ１０５−１及び１０５−２のどちらを選択すべきであるかに関して同意しておらず、ＵＥ１０２がこれらの様々なタイプのルールの中から優先順位を決め得、又はそれらを調整し得るような方法で構成されていない場合、ＵＥ１０２は、ＷＬＡＮ選択を実行することが不可能となり得る。
【００２０】
本明細書に開示されるのは、無線ネットワーク選択及び複数のトラフィックルーティングルールの連携アプリケーションのための複数の技術である。様々なそのような技術に従って、ＵＥは、ＷＬＡＮ選択及びトラフィックルーティングに対する複数のＡＮＤＳＦ指定ルール、複数のＲＡＮ指定ルール、及び複数の局所指定ルールに関して、優先順位を監視するように構成され得る。いくつかの実施形態において、ＵＥは、別のそのようなタイプのルールを定義する閾値又はパラメータを用いて、１つのそのようなタイプのルールを構成するよう動作し得る。例えば、様々な実施形態において、ＵＥは、ＡＮＤＳＦ  ＭＯのＩＳＲＰ又はＩＡＲＰを、受信されたＲＡＮ補助情報によって特定される１又は複数の閾値で構成するよう動作し得る。複数の実施形態は、この例に限定されない。
【００２１】
図３は、いくつかの実施形態の代表となり得るような優先度スキーム３００の例を示す。より具体的には、優先度スキーム３００は、様々な実施形態においてＷＬＡＮ選択及びトラフィックルーティングに対する複数のＡＮＤＳＦ指定、ＲＡＮ指定、及び局所指定ルールに関して定義され得る優先順位の代表となり得る。優先度スキーム３００に従って、複数の局所指定ルールには、最も高い優先度が与えられる。複数のＡＮＤＳＦ指定ルールには、２番目に高いレベルの優先度が与えられ、一方で、複数のＲＡＮ指定ルールには、最低レベルの優先度が割り当てられる。いくつかの実施形態において、優先度スキーム３００に従って、複数のＡＮＤＳＦ指定ルールの適用は、複数のＲＡＮ指定ルールの適用と相互に排他的になるよう定義され得る。このような実施形態において、複数のＲＡＮ指定ルールは、複数のＡＮＤＳＦ指定ルールが構成されていない場合のみに適用され得、そうでなければ無視され得る。様々な実施形態において、優先度スキーム３００に従って、複数の局所指定ルールは、複数のＡＮＤＳＦ指定ルール及び複数のＲＡＮ指定ルールに常に優先し得る。いくつかの実施形態において、優先度スキーム３００は、構成された任意の複数の局所指定ルールによって阻止されない複数のＡＮＤＳＦ指定ルール又は複数のＲＡＮ指定ルールの適用を許可し得る。複数の実施形態は、この文脈に限定されない。
【００２２】
図４は、プロシージャの代表となり得るようなコネクティビティプロシージャ４００の例を示し、そのプロシージャに従って、図１及び２のＵＥ１０２が、様々な実施形態において、無線データのコネクティビティを確立及び利用し得る。いくつかの実施形態において、コネクティビティプロシージャ４００は、構成フェーズ４０２を備え得る。様々な実施形態において、構成フェーズ４０２中に、ＵＥ１０２には、無線ネットワーク発見、選択、及び／又はトラフィックルーティングに関連する１又は複数のルールが提供され得る。いくつかの実施形態において、ＵＥ１０２は、１又は複数のＷＬＡＮ選択ポリシー２１８、及び／又は１又は複数のトラフィックルーティングポリシー２２０のような、ＡＮＤＳＦ  ＭＯ２２２内にプロビジョニングされる複数のポリシーの形式で、１又は複数のＡＮＤＳＦ指定ルールで構成され得る。様々な実施形態において、ＵＥ１０２には、１又は複数のＲＡＮ指定ルールが、１又は複数の３ＧＰＰアクセス閾値２２６、１又は複数のＷＬＡＮアクセス閾値２２８、及び／又はＯＰＩ２３０の形式で提供され得る。いくつかの実施形態において、ＵＥ１０２は、ユーザ入力に基づいて決定されるユーザコネクティビティプレファレンス２３２の形式で、１又は複数の局所指定ルール１１４で構成され得る。複数の実施形態は、この文脈に限定されない。
【００２３】
様々な実施形態において、コネクティビティプロシージャ４００は、ＷＬＡＮ発見フェーズ４０４を備え得る。いくつかの実施形態において、ＷＬＡＮ発見フェーズ４０４中に、ＵＥ１０２は、１又は複数のＷＬＡＮを発見し得る。例えば、ＵＥ１０２は、図２のＷＬＡＮ１０５−１及び１０５−２を発見し得る。様々な実施形態において、ＵＥ１０２は、ＡＮＤＳＦ  ＭＯ情報２１６内に含まれ、及び／又はＡＮＤＳＦ  ＭＯ２２２内でプロビジョニングされるＷＬＡＮ発見情報に基づいて、１又は複数のＷＬＡＮを発見し得る。複数の実施形態は、この文脈に限定されない。
【００２４】
いくつかの実施形態において、コネクティビティプロシージャ４００は、ＷＬＡＮ選択フェーズ４０６を備え得る。様々な実施形態において、ＷＬＡＮ選択フェーズ４０６中に、ＵＥ１０２は、Ｗｉ−Ｆｉデータ通信を交換し、ＷＬＡＮとの接続を確立するのに介するＷＬＡＮを選択し得る。例えば、ＵＥ１０２は、図２のＷＬＡＮ１０５−１及び１０５−２から選択し得、選択されたＷＬＡＮと接続を確立し得る。いくつかの実施形態において、ＷＬＡＮ選択フェーズ４０６中にＷＬＡＮを選択することにおいて、ＵＥ１０２は、構成フェーズ４０２中にＵＥ１０２が構成された１又は複数のルールを適用し得る。複数の実施形態は、この文脈に限定されない。
【００２５】
様々な実施形態において、コネクティビティプロシージャ４００は、データ通信フェーズ４０８を備え得る。いくつかの実施形態において、データ通信フェーズ４０８中に、ＵＥ１０２は、１又は複数の無線アクセスインターフェースを用いて、１又は複数の遠隔デバイスとデータを交換し得る。様々な実施形態において、そのようなデータ交換と併せて、ＵＥ１０２は、複数の無線アクセスインターフェースにわたってトラフィックをルーティングし得る。例えば、ＵＥ１０２は、３ＧＰＰ  ＲＡＮアクセスインターフェースを介してｅＮＢ１０４を通じていくつかのトラフィックフローをルーティングし得、ＷＬＡＮアクセスインターフェースを介してＷＬＡＮ選択フェーズ４０６中に選択されるＷＬＡＮを通じて他の複数のトラフィックフローをルーティングし得る。いくつかの実施形態において、ＵＥ１０２は、ＵＥ１０２が構成フェーズ４０２中に構成された１又は複数のルールを適用することによって、どの複数のトラフィックフローをどの複数の無線アクセスインターフェースにわたってルーティングするかを決定し得る。複数の実施形態は、この文脈に限定されない。
【００２６】
上述された複数の実施形態の複数の動作は、以下の複数の図及び添付の複数の例を参照して、更に説明され得る。複数の図のいくつかは、ロジックフローを含み得る。本明細書に提示されるこのような複数の図は、特定のロジックフローを含み得るが、ロジックフローは、本明細書で説明される一般的機能がどのように実装され得るかという例を単に提供するものであることが理解され得る。更に、所与のロジックフローは、他に示されない限り、必ずしも提示された順序で実行されなければならないものではない。加えて、所与のロジックフローは、ハードウェア要素、プロセッサによって実行されるソフトウェア要素、又はそれらの任意の組み合わせによって実装され得る。複数の実施形態は、この文脈に限定されない。
【００２７】
図５は、無線ネットワーク選択及び複数のトラフィックルーティングルールの連携アプリケーションのための開示された複数の技術の実装と併せて、様々な実施形態において実行され得る複数の動作の代表となり得るロジックフロー５００の一実施形態を示す。例えば、ロジックフロー５００は、構成フェーズ４０２中に、図１及び２のＡＮＤＳＦサーバ１０８によっていくつかの実施形態において実行され得る複数の動作の代表となり得る。図５に示されるように、ＵＥに対するデバイス機能情報は、５０２で受信され得る。例えば、ＡＮＤＳＦサーバ１０８は、デバイス機能情報をＵＥ１０２から受信し得る。様々な実施形態において、デバイス機能情報は、ＵＥが、複数のＡＮＤＳＦルールにおいて複数のＲＡＮ閾値の使用をサポートすることが可能であるか否かを示し得る。いくつかの実施形態において、デバイス機能情報は、ＡＮＤＳＦ  ＭＯを備え得る。様々なこのような実施形態において、ＡＮＤＳＦ  ＭＯは、ＵＥが複数のＡＮＤＳＦルールにおいて複数のＲＡＮ閾値の使用をサポートすることが可能であるか否かを示す、ＤｅｖＣａｐａｂｉｌｉｔｙリーフを備えるＵＥ＿Ｐｒｏｆｉｌｅノードを含み得る。５０２で受信したデバイス機能情報に基づいて、ＵＥが、複数のＡＮＤＳＦルールにおいて複数のＲＡＮ閾値の使用をサポートすることが可能であるか否かという決定が、５０４で実行され得る。例えば、ＡＮＤＳＦサーバ１０８は、ＵＥ１０２から受信したデバイス機能情報に基づいて、ＵＥ１０２が、複数のＡＮＤＳＦルールにおいて複数のＲＡＮ閾値の使用をサポートするか否かを決定し得る。
【００２８】
ＵＥが、複数のＡＮＤＳＦルールにおいて複数のＲＡＮ閾値の使用をサポートすることが５０４で決定された場合、フローは５０６に移り得る。５０６で、ＡＮＤＳＦ  ＭＯはＵＥに対して構成され得、１又は複数のＲＡＮ閾値ベースのＡＮＤＳＦルールがそのＡＮＤＳＦ  ＭＯに含まれ得る。例えば、ＵＥ１０２が、複数のＡＮＤＳＦルールにおいて複数のＲＡＮ閾値の使用をサポートするという決定に応答して、ＡＮＤＳＦサーバ１０８は、それがＵＥ１０２に対して構成するＡＮＤＳＦ  ＭＯにおいて、１又は複数のＲＡＮ閾値ベースのＡＮＤＳＦルールを含み得る。いくつかの実施形態において、各々のＲＡＮ閾値ベースのＡＮＤＳＦルールは、ＩＳＲＰ又はＩＡＲＰのようなＡＮＤＳＦポリシーに含まれ得る。様々な実施形態において、各々のＲＡＮ閾値ベースのＡＮＤＳＦルールはＡＮＤＳＦ  ＭＯポリシー内に有効性条件を備え得る。いくつかの実施形態において、構成されたＡＮＤＳＦ  ＭＯにおける構成フラグ（ｃｏｎｆｉｇｕｒａｔｉｏｎ  ｆｌａｇ）は、ＡＮＤＳＦ  ＭＯが１又は複数のＲＡＮ閾値ベースのＡＮＤＳＦルールを含むことを示すべく設定され得る。様々な実施形態において、構成フラグは、構成されたＡＮＤＳＦ  ＭＯのＵＥ＿Ｐｒｏｆｉｌｅノードに含まれ得る。
【００２９】
５０４で、ＵＥが複数のＡＮＤＳＦ指定ルールにおいて複数のＲＡＮ閾値の使用をサポートしないことが決定された場合、フローは５０８に移り得る。５０８で、ＡＮＤＳＦ  ＭＯは、ＵＥに対して構成され得、複数のＲＡＮ閾値ベースのＡＮＤＳＦルールは、そのＡＮＤＳＦ  ＭＯにおいて含まれ得ない。例えば、ＵＥ１０２が、複数のＡＮＤＳＦルールにおいて複数のＲＡＮ閾値の使用をサポートしないという決定に応答して、ＡＮＤＳＦサーバ１０８は、それがＵＥ１０２に対して構成するＡＮＤＳＦ  ＭＯにおいて、任意の複数のＲＡＮ閾値ベースのＡＮＤＳＦルールを含み得ない。いくつかの実施形態において、構成されたＡＮＤＳＦ  ＭＯにおける構成フラグは、ＡＮＤＳＦ  ＭＯが任意の複数のＲＡＮ閾値ベースのＡＮＤＳＦルールを含まないことを示すべく設定され得る。様々な実施形態において、構成フラグは、構成されたＡＮＤＳＦ  ＭＯのＵＥ＿Ｐｒｏｆｉｌｅノードに含まれ得る。５０６又は５０８のどちらからでも、フローは、構成されたＡＮＤＳＦ  ＭＯがＵＥに送信され得る５１０へと移り得る。例えば、ＵＥ１０２に対してＡＮＤＳＦ  ＭＯを構成した後で、ＡＮＤＳＦサーバ１０８は、構成されたＡＮＤＳＦ  ＭＯをＵＥ１０２に送信し得る。複数の実施形態は、これらの例に限定されない。
【００３０】
所与のＲＡＮセルにおいて作動するＵＥによる使用に適切となり得る実際の複数のＲＡＮ閾値が、そのセルの無線環境の特性に依存し得ることは、留意に値する。例えば、１つのセルにおける無線環境との関連で比較的高いＲＳＲＰ値は、別のセルにおける無線環境との関連で比較的低くなり得る。いくつかの実施形態において、ＡＮＤＳＦポリシーにおいてＲＡＮ閾値ベースのルールを構成するＡＮＤＳＦサーバが、そのネットワークの複数のセルにおいて無線環境の関連特性を認識するという可能性が低くなり得る。様々な実施形態において、ＡＮＤＳＦが、ＡＮＤＳＦポリシーにおいてＲＡＮ閾値ベースのルールと関連する所与のＲＡＮ閾値に対する既定値を選択する場合、その既定値は、ネットワークにおけるいくつかのセルに関して過度に高くなり得、他のセルに関して過度に低くなり得る。したがって、いくつかの実施形態において、ＡＮＤＳＦサーバは、複数のＲＡＮ閾値ベースのＡＮＤＳＦルールと関連する複数のＲＡＮ閾値に対する任意の複数の静的又は既定値を選択し得ず、ＡＮＤＳＦ  ＭＯにおいてそのような複数のルールを含む複数のＡＮＤＳＦポリシーは、それらのＲＡＮ閾値に対する複数の静的又は既定値を含み得ない。複数の実施形態は、この文脈に限定されない。
【００３１】
図２に戻り、様々な実施形態において、ＲＡＮ補助情報２２４に含まれる様々な閾値は、複数のトラフィックルーティング決定と併せて用いるのに特に適切であり得る。例えば、ＵＥ１０２は、複数の３ＧＰＰアクセス閾値２２６の中に含まれるＲＳＲＰ閾値及び／又はＲＳＲＱ閾値に基づいて、それがセル１０３のエッジ付近に位置するか否かを決定することが可能となり得、それがセルエッジ付近に位置するか否かに基づいて、ＷＬＡＮアクセスインターフェースを介してトラフィックをルーティングするか、又は３ＧＰＰ  ＲＡＮアクセスインターフェースを介してトラフィックをルーティングするか否かを決定し得る。別の例において、ＵＥ１０２は、ＯＰＩ２３０に基づいて、ＷＬＡＮアクセスインターフェースを介してトラフィックをルーティングするか、又は３ＧＰＰ  ＲＡＮアクセスインターフェースを介してトラフィックをルーティングするか否かを決定し得、ＯＰＩ２３０は、いくつかの実施形態において、３ＧＰＰ  ＲＡＮオペレータのオフロードプレファレンスを反映し得る。様々な実施形態において、ＲＡＮ補助情報２２４に含まれ得る様々な閾値のＲＡＮ中心の性質は、これら閾値をＷＬＡＮ選択と併せて用いるのにはあまり適切でないものにし得る。したがって、いくつかの実施形態における無線ネットワーク選択及び複数のトラフィックルーティングルールの連携アプリケーションのための開示された複数の技術に従って、複数のＡＮＤＳＦ  ＷＬＡＮ選択ポリシーは、複数のＲＡＮ補助情報閾値に基づいた有効性条件を含むことを許可され得ない。
【００３２】
図６は、複数のＡＮＤＳＦ  ＷＬＡＮ選択ポリシーが、複数のＲＡＮ補助情報閾値に基づいた有効性条件を含むことを許可されない様々な実施形態において実行され得る複数の動作の代表となり得るロジックフロー６００の一実施形態を示す。例えば、ロジックフロー６００は、ＷＬＡＮ発見フェーズ４０４及びＷＬＡＮ選択フェーズ４０６中に、ＵＥ１０２によって、いくつかのこのような実施形態において実行され得る複数の動作の代表となり得る。図６に示されるとおり、複数のＷＬＡＮのセットが６０２で発見され得る。例えば、ＵＥ１０２は、ＷＬＡＮ１０５−１及び１０５−２を発見し得る。フローはそれから、ＵＥが、１又は複数のＡＮＤＳＦ  ＷＬＡＮ選択ポリシーを備えるＡＮＤＳＦ  ＭＯで構成されるか否かに応じて、６０４から進み得る。
【００３３】
ＵＥに対するＡＮＤＳＦ  ＭＯが、１又は複数のＡＮＤＳＦ  ＷＬＡＮ選択ポリシーを備える場合、フローは６０４から６０６へと移り得、そこでは、ＵＥが、ＡＮＤＳＦ  ＷＬＡＮ選択ポリシーに従ってＷＬＡＮを選択し得、それが受信し得た任意の複数のＲＡＮ補助情報閾値を無視する。例えば、ＡＮＤＳＦ  ＭＯ２２２が、１又は複数のＡＮＤＳＦ  ＷＬＡＮ選択ポリシーを備える場合、ＵＥ１０２は、ＵＥ１０２がｅＮＢ１０４から受信したＲＡＮ補助情報２２４に含まれる任意の複数の閾値に関係なく、そのようなポリシーに基づいて、ＷＬＡＮ１０５−１又は１０５−２を選択し得る。ＵＥに対するＡＮＤＳＦ  ＭＯが、ＡＮＤＳＦ  ＷＬＡＮ選択ポリシーを含まない場合、フローは６０４から６０８に移り得、そこでは、ＵＥが、１又は複数のＲＡＮ指定ルール、及び／又は局所指定ルールに従って、ＷＬＡＮを選択し得る。例えば、ＡＮＤＳＦ  ＭＯ２２２がＡＮＤＳＦ  ＷＬＡＮ選択ポリシーを含まない場合、ＵＥ１０２は、ＲＡＮ補助情報２２４に含まれる１又は複数の閾値に基づいて、及び／又は複数のユーザコネクティビティプレファレンス２３２にに基づいて、ＷＬＡＮ１０５−１又は１０５−２を選択し得る。６０６又は６０８のどちらからでも、フローは６１０に移り得、そこでは、ＵＥが、選択されたＷＬＡＮを介してＷｉ−Ｆｉデータのコネクティビティを確立し得る。例えば、ＷＬＡＮ１０５−１を選択した後で、ＵＥ１０２は、ＷＬＡＮ１０５−１を介してＷｉ−Ｆｉデータのコネクティビティを確立するために、ＡＰ１０６−１と交信し得る。複数の実施形態は、これらの例に限定されない。
【００３４】
図２に戻り、様々な実施形態において、ＵＥ１０２が、いくつかのローミングシナリオにおいてＲＡＮ補助情報２２４に関係なく、複数のトラフィックルーティング決定を実行するように構成されることが望ましいとされ得る。例えば、ＵＥ１０２がローミングしていて、ｅＮＢ１０４がＵＥ１０２に対するビジテッド公衆陸上移動ネットワーク（Ｖ−ＰＬＭＮ）のｅＮＢであるが、ＵＥ１０２がトラフィックルーティングに対するホームＡＮＤＳＦ（Ｈ−ＡＮＤＳＦ）ポリシーを用いている場合、ＵＥ１０２が、Ｈ−ＡＮＤＳＦトラフィックルーティングポリシーを適用することを目的として、ＲＡＮ補助情報２２４を無視することが望ましいとされ得る。いくつかの実施形態において、ＵＥ１０２が、複数の関連するパラメータがＶ−ＰＬＭＮで利用可能でない可能性に起因して、そのようなシナリオにおいてＲＡＮ補助情報２２４を無視するように構成されることが望ましいとされ得る。例えば、ＵＥ１０２に対するＶ−ＰＬＭＮは、ＵＥ１０２に対するホームＰＬＭＮ（Ｈ−ＰＬＭＮ）のオペレータとのサービス合意を有するＷＬＡＮ  ＡＰに関して関連条件を認識し得ず、したがって、ＵＥ１０２は、Ｈ−ＡＮＤＳＦルーティングポリシーを適切に適用するのに必要とされる情報へのアクセスを有し得ない。複数の実施形態は、この例に限定されない。
【００３５】
様々な実施形態において、ＵＥ１０２が、他のローミングシナリオにおいて、ＲＡＮ補助情報２２４に含まれる１又は複数のＲＡＮ閾値を適用するように構成されることが望ましいとされ得る。例えば、ＵＥ１０２がローミングしていて、ｅＮＢ１０４がＵＥ１０２に対するＶ−ＰＬＭＮのｅＮＢであり、ＵＥ１０２がトラフィックルーティングに対するビジテッドＡＮＤＳＦ（Ｖ−ＡＮＤＳＦ）ポリシーを用いている場合、ＵＥ１０２が、Ｖ−ＡＮＤＳＦトラフィックルーティングポリシーを適用する目的で、ＲＡＮ補助情報２２４に含まれる１又は複数のＲＡＮ閾値を適用することが望ましいとされ得る。いくつかの実施形態において、Ｖ−ＰＬＭＮは、Ｖ−ＡＮＤＳＦによって構成される複数のトラフィックルーティングポリシーに関連する複数の条件を認識することが推定され得るので、ＵＥ１０２が、そのような複数のシナリオにおいて、ＲＡＮ補助情報２２４において複数のＲＡＮ閾値を適用するように構成されることが望ましいとされ得る。同様に、Ｈ−ＰＬＭＮは、Ｈ−ＡＮＤＳＦによって構成される複数のトラフィックルーティングポリシーに関連する複数の条件を認識することが推定され得るので、ＵＥ１０２が、複数の非ローミングシナリオにおいて、複数のＨ−ＡＮＤＳＦトラフィックルーティングポリシーを用いることと併せて、ＲＡＮ補助情報２２４において複数のＲＡＮ閾値を適用するように構成されることが望ましいとされ得る。したがって、様々な実施形態において、ＵＥ１０２は、Ｈ-ＰＬＭＮにおいて作動しながらＨ−ＡＮＤＳＦトラフィックルーティングポリシーを用いること、又はＶ-ＰＬＭＮにおいて作動しながらＶ-ＡＮＤＳＦトラフィックルーティングポリシーを用いることと併せて、ＲＡＮ補助情報２２４において複数のＲＡＮ閾値を適用するように構成され得るが、Ｖ-ＰＬＭＮにおいて作動しながらＨ-ＡＮＤＳＦトラフィックルーティングポリシーを用いることと併せて、ＲＡＮ補助情報２２４において任意の複数のＲＡＮ閾値を無視するように構成され得る。
【００３６】
いくつかの実施形態において、ＵＥ１０２に対するＡＮＤＳＦ  ＭＯ２２２は、複数のＯＰＩベースの有効性条件を含む１又は複数のＡＮＤＳＦルーティングポリシーを含み得る。例えば、様々な実施形態において、ＵＥ１０２は、ＯＰＩベースの有効性条件を含むＩＳＲＰで構成され得る。いくつかの実施形態において、ＵＥ１０２は、受信されたＲＡＮ補助情報において複数のＲＡＮ閾値を処理する前述の手法に類似した態様で、受信されたＲＡＮ補助情報において含まれるＯＰＩを処理するように構成され得る。即ち、様々な実施形態において、ＵＥ１０２は、全ての他のオフロード基準が満たされるとき、ＵＥ１０２が、Ｖ-ＰＬＭＮにおいて作動しているが、Ｈ−ＡＮＤＳＦポリシーを適用する場合にはＯＰＩビットマップを考慮しないが、ＵＥ１０２が、Ｈ−ＰＬＭＮにおいて作動していて、Ｈ−ＡＮＤＳＦポリシーを適用している、又はＶ−ＰＬＭＮにおいて作動していて、Ｖ-ＡＮＤＳＦポリシーを適用する場合に、受信されたＯＰＩビットマップに基づいて、最後のオフロードを決定するように構成され得る。いくつかの実施形態において、オペレータ間の連携は、ＵＥ１０２が、Ｖ−ＰＬＭＮにおいて作動しているが、Ｈ−ＡＮＤＳＦポリシーを適用する場合に、ＯＰＩビットマップを考慮することを可能とするよう用いられ得る。複数の実施形態は、この文脈に限定されない。
【００３７】
図７は、無線ネットワーク選択及び複数のトラフィックルーティングルールの連携アプリケーションに対する開示された複数の技術の実装と併せて、様々な実施形態において実行され得る複数の動作の代表となり得るロジックフロー７００の一実施形態を示す。例えば、ロジックフロー７００は、図４のデータ通信フェーズ４０８中に、図１及び２のＵＥ１０２によっていくつかの実施形態において実行され得る複数の動作の代表となり得る。図７に示されるとおり、ロジックフロー７００の初期において、フローは、ＵＥが、任意の複数のＡＮＤＳＦ指定ルーティングルールでプロビジョニングされるか否かに基づいて、７０２から移り得る。ＵＥが、任意の複数のＡＮＤＳＦ指定ルーティングルールでプロビジョニングされない場合、フローは７０２から７０４へと移り得、ＵＥは、１又は複数のＲＡＮ指定ルーティングルールに基づいて、トラフィックをルーティングし得る。例えば、ＵＥ１０２が、ＲＡＮ補助情報に基づいて評価されるべき複数の有効性条件を備える任意の複数のＡＮＤＳＦルーティングポリシーを含まないＡＮＤＳＦ  ＭＯ２２２で構成される場合、ＵＥ１０２は、１又は複数のＲＡＮ指定ルーティングルールに基づいて、１又は複数のＩＰトラフィックフローをルーティングし得る。ＵＥが、トラフィックルーティングに関連する複数のユーザプレファレンスで構成される場合、ＵＥは、それらのユーザプレファレンス及び１又は複数のＲＡＮ指定ルールに基づいて、１又は複数のＩＰトラフィックフローをルーティングし得、１又は複数のＲＡＮ指定ルールを、それらがユーザプレファレンスによって阻止されない程度に適用することは、留意に値する。また、様々な実施形態において、ＵＥが、複数のＡＮＤＳＦ指定ルーティングルール、及び複数のＲＡＮ指定ルーティングルールでもプロビジョニングされ得ず、単に複数のユーザプレファレンス、及び／又は他の複数の要因に基づいて、トラフィックをルーティングし得ることは、留意に値する。複数の実施形態は、この文脈に限定されない。
【００３８】
ＵＥが、１又は複数のＡＮＤＳＦ指定ルーティングルールでプロビジョニングされる場合、フローは７０２から７０６に移り得る。７０６から、フローは、ＵＥがローミングしているか否かに基づいて、進み得る。ＵＥがローミングしていない場合、フローは、７０６から７０８に移り得る。７０８から、フローは、複数のＡＮＤＳＦ指定ルーティングルールが基づくＲＡＮ補助情報、及びＲＡＮ補助情報によって定義される複数のＲＡＮ閾値に対応する任意の必要な複数の測定値が利用可能であるか否かに基づいて、進み得る。ＲＡＮ補助情報及び／又は必要な複数の測定値が利用可能である場合、フローは７１０に移り得、そこでは、ＲＡＮ補助情報と関連する１又は複数の有効性条件が、トラフィックをルーティングすべく、１又は複数のＡＮＤＳＦ指定ルーティングルールを適用することと併せて、用いられ（ｅｎｆｏｒｃｅｄ）得る。例えば、ＵＥ１０２が、ＲＡＮ補助情報と関連する１又は複数の有効性条件を備えるＡＮＤＳＦルーティングポリシーで構成され、ＵＥ１０２は、成功裏にＲＡＮ補助情報２２４を受信し、それらの１又は複数の有効性条件を評価するのに必要とされる任意の複数の測定を成功裏に実行する場合、ＵＥ１０２は、１又は複数のＩＰトラフィックフローをルーティングすべく、ＡＮＤＳＦルーティングポリシーを適用することと併せて、１又は複数の有効性条件を用い得る。ＲＡＮ補助情報及び／又は必要な複数の測定値が利用可能でない場合、フローは７１２へ移り得、そこでは、ＲＡＮ補助情報と関連する複数の有効性条件が、トラフィックをルーティングすべく、１又は複数のＡＮＤＳＦ指定ルーティングルールを適用することと併せて、無視され得る。例えば、ＵＥ１０２が、ＲＡＮ補助情報と関連する１又は複数の有効性条件を備えるＡＮＤＳＦルーティングポリシーで構成されるが、ＵＥ１０２が、ＲＡＮ補助情報２２４を受信せず、及び／又はそれらの１又は複数の有効性条件を評価するのに必要とされる複数の測定を実行不可能である場合、ＵＥ１０２は、１又は複数のＩＰトラフィックフローをルーティングすべく、ＡＮＤＳＦルーティングポリシーを適用することと併せて、１又は複数の有効性条件を無視し得る。
【００３９】
ＵＥがローミングしている場合、フローは７０６から７１４に移り得る。７１４から、フローは、ＵＥが、そのサービングＶ−ＰＬＭＮについて、Ｖ−ＡＮＤＳＦによって提供される複数のＡＮＤＳＦポリシーを用いているか否かに基づいて、進み得る。様々な実施形態において、ＵＥが、Ｖ−ＡＮＤＳＦサーバによって提供される複数のＡＮＤＳＦポリシーを用いているか否かは、ＵＥに対するホームオペレータのプレファレンスに依存し得る。いくつかの実施形態において、ＵＥに対するＡＮＤＳＦ  ＭＯ内のパラメータは、ホームオペレータが、複数のＶ−ＰＬＭＮ  ＲＡＮ閾値を好むか否かを示し得る。様々な実施形態において、例えば、ＵＥに対するＡＮＤＳＦ  ＭＯにおけるＰｒｅｆｅｒＶＰＬＭＮＲＡＮＴｈｒｅｓｈｏｌｄｓパラメータは、ホームオペレータが複数のＶ−ＰＬＭＮ  ＲＡＮ閾値を好むときは１の値に設定され得、そうでなければ、０の値に設定され得る。複数の実施形態は、この例に限定されない。
【００４０】
ＵＥが、そのサービングＶ−ＰＬＭＮについて、Ｖ−ＡＮＤＳＦによって提供される複数のＡＮＤＳＦポリシーを用いている場合、フローは、７１４から７０８へ移り得、前に説明された態様において７０８から進み得る。ＵＥが、そのサービングＶ−ＰＬＭＮについて、Ｖ−ＡＮＤＳＦによって提供される複数のＡＮＤＳＦポリシーを用いていない場合、フローは７１４から７１２へと移り得、そこでは、ＲＡＮ補助情報と関連する複数の有効性条件は、トラフィックをルーティングすべく、１又は複数のＡＮＤＳＦ指定ルーティングルールを適用することと併せて、無視され得る。例えば、ＵＥ１０２がローミングしているが、ローミングしながら複数のＨ−ＡＮＤＳＦポリシーを用いるように構成される場合、ＵＥ１０２は、１又は複数のＩＰトラフィックフローをルーティングすべく、Ｈ−ＡＮＤＳＦルーティングポリシーを適用することと併せて、ＲＡＮ補助情報と関連する任意の複数の有効性条件を無視し得る。いくつかの実施形態において、上述のとおり、オペレータ間の連携は、ＵＥが、Ｈ−ＡＮＤＳＦルーティングポリシーを適用する一方で、Ｖ−ＰＬＭＮ  ＲＡＮによって提供されるＯＰＩビットマップを考慮することを可能とすべく用いられ得ることは留意に値する。したがって、様々な実施形態において、７１２でＨ−ＡＮＤＳＦルーティングポリシーを適用することと併せて、ＲＡＮ補助情報と関連する１又は複数の有効性条件を無視するＵＥは、それでもＯＰＩビットマップと関連する有効性条件を適用し得る。複数の実施形態は、この文脈に限定されない。
【００４１】
図２に戻り、いくつかの実施形態において、ＵＥ１０２でのＡＮＤＳＦクライアントは、複数の３ＧＰＰアクセス閾値２２６、複数のＷＬＡＮアクセス閾値２２８、及び／又はＯＰＩ２３０の実際のアプリケーションを担い得、それらに依存する複数のＡＮＤＳＦ有効性条件を評価し得る。様々なこのような実施形態において、ＵＥ１０２での３ＧＰＰアクセス層（ＡＳ）は、ＲＡＮ補助情報２２４において複数の関連パラメータをＡＮＤＳＦクライアントに単に転送し得る。いくつかの他の実施形態において、ＡＮＤＳＦクライアントは、３ＧＰＰ  ＡＳに、そのような複数のＡＮＤＳＦ有効性条件を評価することに関連する特定の複数の条件をいつ検出するのかを、ＡＮＤＳＦクライアントに通知するよう命令し得る。例えば、ＡＮＤＳＦクライアントは、３ＧＰＰ  ＡＳに、３ＧＰＰアクセス閾値２２６によって特定される値より小さいＲＳＲＰを測定する場合に、そのことを通知するよう命令し得る。複数のこのような実施形態において、複数のＲＡＮ関連のパラメータは、ＡＮＤＳＦクライアントに転送されることを必要とするのではなく、３ＧＰＰ  ＡＳ内において保持され得、３ＧＰＰ  ＡＳとＡＮＤＳＦクライアントとの間で交換されるデータ量の低減を可能とし得る。複数の実施形態は、この文脈に限定されない。
【００４２】
図８は、無線ネットワーク選択及び複数のトラフィックルーティングルールの連携されたアプリケーションのための開示された複数の技術の実装と併せて、様々な実施形態において実行され得る複数の動作の代表となり得るロジックフロー８００の一実施形態を示す。例えば、ロジックフロー８００は、図４のデータ通信フェーズ４０８中に、図１及び２のＵＥ１０２によっていくつかの実施形態において実行され得る複数の動作の代表となり得る。図８に示されるとおり、ＲＡＮ補助情報を備える無線リソース制御（ＲＲＣ）メッセージは、８０２で受信され得る。例えば、図２の動作環境２００において、ＵＥ１０２は、ＲＡＮ補助情報２２４を備えるＲＲＣメッセージを、ｅＮＢ１０４から受信し得る。８０４で、ＡＮＤＳＦ  ＭＯルーティングポリシーの閾値条件は、ＲＡＮ補助情報に含まれるアクセス閾値と、対応する測定値とに基づいて評価され得る。例えば、図２の動作環境２００において、ＵＥ１０２は、ＲＳＲＰ閾値、ＲＳＲＱ閾値、ＢＳＳ負荷閾値、又はバックホールデータレート閾値のような３ＧＰＰ、又はＷＬＡＮアクセス閾値と、ＲＳＲＰ測定値、ＲＳＲＱ測定値、ＢＳＳ負荷測定値、又はバックホールデータレート測定値のような対応する測定値とに基づいて、ＡＮＤＳＦ  ＭＯ２２２に含まれるルーティングポリシーの閾値条件を評価し得る。８０６で、ＡＮＤＳＦ  ＭＯルーティングポリシーは、閾値条件の評価に基づいて、ＩＰトラフィックをルーティングすべく適用され得る。例えば、図２の動作環境２００において、ＵＥ１０２は、３ＧＰＰ又はＷＬＡＮアクセス閾値に基づいて、ＡＮＤＳＦ  ＭＯ２２２に含まれる、ルーティングポリシーの閾値条件の評価に基づいて、ＩＰトラフィックをルーティングし得る。複数の実施形態は、これらの例に限定されない。
【００４３】
図９は、無線ネットワーク選択及び複数のトラフィックルーティングルールの連携アプリケーションのための開示された複数の技術の実装と併せて、様々な実施形態において実行され得る複数の動作の代表となり得るロジックフロー９００の一実施形態を示す。例えば、ロジックフロー９００は、図４のデータ通信フェーズ４０８中に図１及び２のＵＥ１０２によっていくつかの実施形態において実行され得る複数の動作の代表となり得る。図９に示されるとおり、ＡＮＤＳＦ  ＭＯは、９０２で、ＵＥのサービングＰＬＭＮのＩＳＲＰで構成され得る。例えば、図２の動作環境２００において、ＵＥ１０２に対するＡＮＤＳＦ  ＭＯ２２２は、ＵＥ１０２のサービングＰＬＭＮのＩＳＲＰで構成され得る。９０４で、１又は複数のアクセス閾値を備えるＲＡＮ補助情報が受信され得る。例えば、図２の動作環境２００において、ＵＥ１０２は、１又は複数の３ＧＰＰアクセス閾値２２６、及び／又は複数のＷＬＡＮアクセス閾値２２８を備えるＲＡＮ補助情報２２４を受信し得る。９０６で、ＩＰトラフィックは、１又は複数のアクセス閾値に基づいて、ＩＳＲＰの１又は複数の閾値条件を評価することによって、ＩＳＲＰに従って、複数の無線アクセスインターフェースにわたってルーティングされ得る。例えば、図２の動作環境２００において、ＵＥ１０２は、受信されたＲＡＮ補助情報２２４に含まれる１又は複数の３ＧＰＰアクセス閾値２２６、及び／又はＷＬＡＮアクセス閾値２２８に基づいて、ＩＳＲＰの１又は複数の閾値条件を評価することによって、ＡＮＤＳＦ  ＭＯ２２２においてプロビジョニングされるＩＳＲＰに従って、３ＧＰＰ  ＲＡＮ無線アクセスインターフェース及びＷＬＡＮ無線アクセスインターフェースにわたってＩＰトラフィックをルーティングし得る。複数の実施形態は、これらの例に限定されない。
【００４４】
図１０は、無線ネットワーク選択及び複数のトラフィックルーティングルールの連携アプリケーションのための開示された複数の技術の実装と併せて、様々な実施形態において実行され得る複数の動作の代表となり得るロジックフロー１０００の一実施形態を示す。例えば、ロジックフロー１０００は、図４のデータ通信フェーズ４０８中に、図１及び２のＵＥ１０２によっていくつかの実施形態において実行され得る複数の動作の代表となり得る。図１０に示されるとおり、ＵＥのサービングセルと関連し、１又は複数のアクセス閾値を含むＲＡＮ補助情報を備えるＲＲＣ情報が、１００２で受信され得る。例えば、図２の動作環境２００において、ＵＥ１０２は、そのサービングセルと関連し、１又は複数の３ＧＰＰアクセス閾値２２６、及び／又はＷＬＡＮアクセス閾値２２８を備えるＲＡＮ補助情報２２４を備えるＲＲＣ情報を受信し得る。１００４で、ＵＥに対するＡＮＤＳＦ  ＭＯのＩＡＲＰが構成され得る。例えば、図２の動作環境２００において、ＵＥ１０２に対するＡＮＤＳＦ  ＭＯ２２２のＩＡＲＰが構成され得る。１００６で、１又は複数のＩＰトラフィックフローを処理するためのプロシージャは、１又は複数のアクセス閾値のうち少なくとも１つに基づいて、ＩＡＲＰの少なくとも１つの閾値条件を評価することによって、ＩＡＲＰに基づいて決定され得る。例えば、図２の動作環境２００において、ＵＥ１０２は、受信されたＲＡＮ補助情報２２４に含まれる１又は複数の３ＧＰＰアクセス閾値２２６、及び／又はＷＬＡＮアクセス閾値２２８のうち少なくとも１つに基づいて、ＩＡＲＰの少なくとも１つの閾値条件を評価することによって、ＡＮＤＳＦ  ＭＯ２２２においてプロビジョニングされるＩＡＲＰに基づいて、１又は複数のＩＰトラフィックフローを処理するためのプロシージャを決定し得る。複数の実施形態は、これらの例に限定されない。
【００４５】
図１１は、記憶媒体１１００の実施形態を示す。記憶媒体１１００は、光、磁気又は半導体記憶媒体のような、任意の非一時的コンピュータ可読記憶媒体又は機械可読記憶媒体を備え得る。様々な実施形態において、記憶媒体１１００は、製造物品を備え得る。いくつかの実施形態において、記憶媒体１１００は、図６のロジックフロー６００、図７のロジックフロー７００、図８のロジックフロー８００、図９のロジックフロー９００、及び図１０のロジックフロー１０００のうち１又は複数を実装するための複数のコンピュータ実行可能命令のような、複数のコンピュータ実行可能命令を格納し得る。コンピュータ可読記憶媒体又は機械可読記憶媒体の複数の例は、電子データを格納可能な任意の有形の媒体を含み得、これは、揮発性メモリ又は不揮発性メモリ、取り外し可能又は取り外し不可能メモリ、消去可能又は消去不可能メモリ、書き込み可能又は再書き込み可能メモリ等を含む。コンピュータ実行可能命令の複数の例は、ソースコード、コンパイル型コード、インタープリタ型コード、実行可能コード、スタティックコード、ダイナミックコード、オブジェクト指向コード、ビジュアルコード等のような、任意の適切なタイプのコードを含み得る。複数の実施形態は、この文脈に限定されない。
【００４６】
図１２は、図１及び２のＵＥ１０２、ｅＮＢ１０４、及びＡＮＤＳＦサーバ１０８、図６のロジックフロー６００、図７のロジックフロー７００、図８のロジックフロー８００、図９のロジックフロー９００、図１０のロジックフロー１０００、及び図１１の記憶媒体１１００のうち１又は複数を実装し得る通信デバイス１２００の実施形態を示す。様々な実施形態において、デバイス１２００は、論理回路１２２８を備え得る。論理回路１２２８は、例えば、図１及び２のＵＥ１０２、ｅＮＢ１０４、及びＡＮＤＳＦサーバ１０８、図６のロジックフロー６００、図７のロジックフロー７００、図８のロジックフロー８００、図９のロジックフロー９００及び図１０のロジックフロー１０００のうち１又は複数について説明された複数の動作を実行するべく、複数の物理的回路を含み得る。図１２に示されるように、デバイス１２００は、無線インターフェース１２１０、ベースバンド回路１２２０及びコンピューティングプラットフォーム１２３０を含み得るが、実施形態は、この構成に限定されない。
【００４７】
デバイス１２００は、図１及び２のＵＥ１０２、ｅＮＢ１０４、及びＡＮＤＳＦサーバ１０８、図６のロジックフロー６００、図７のロジックフロー７００、図８のロジックフロー８００、図９のロジックフロー９００、図１０のロジックフロー１０００、図１１の記憶媒体１１００、及び単一のデバイス内に全体があるような単一のコンピューティングエンティティの論理回路１２２８のうち１又は複数について、構造及び／又は複数の動作のいくつか又は全てを実装し得る。代替的に、デバイス１２００は、図１及び２のＵＥ１０２、ｅＮＢ１０４、及びＡＮＤＳＦサーバ１０８、図６のロジックフロー６００、図７のロジックフロー７００、図８のロジックフロー８００、図９のロジックフロー９００、図１０のロジックフロー１０００、図１１の記憶媒体１１００、及び論理回路１２２８のうち１又は複数について、構造及び／又は複数の動作の複数の部分を、クライアントサーバアーキテクチャ、３階層アーキテクチャ、Ｎ階層アーキテクチャ、密結合又はクラスタアーキテクチャ、ピアツーピアアーキテクチャ、マスタースレーブアーキテクチャ、共有データベースアーキテクチャ及び他の複数のタイプの分散システムのような分散システムアーキテクチャを用いて、複数のコンピューティングエンティティにわたって分散させ得る。複数の実施形態は、この文脈に限定されない。
【００４８】
一実施形態において、無線インターフェース１２１０は、複数のシングルキャリア又はマルチキャリア変調信号（例えば、相補コードキーイング（ＣＣＫ）、直交周波数分割多重方式（ＯＦＤＭ）、及び／又はシングルキャリア周波数分割多元接続（ＳＣ−ＦＤＭＡ）記号を含む）の送信及び／又は受信に適応されるコンポーネント又は複数のコンポーネントの組み合わせを含み得るが、複数の実施形態は、任意の具体的な無線のインターフェース又は変調スキームに限定されない。無線インターフェース１２１０は、例えば、受信機１２１２、周波数合成機１２１４、及び／又は送信機１２１６を含み得る。無線インターフェース１２１０は、複数のバイアス制御、水晶発振器、及び／又は１又は複数のアンテナ１２１８−ｆを含み得る。 別の実施形態において、無線インターフェース１２１０は、複数の外部電圧制御発振器（ＶＣＯ）、複数の面音波フィルタ、複数の中間周波数（ＩＦ）フィルタ及び／又は複数のＲＦフィルタを、所望により用い得る。潜在的なＲＦインターフェース設計の多様性に起因して、それらの広範な説明は省略される。
【００４９】
ベースバンド回路１２２０は、複数の受信及び／又は送信信号を処理する無線インターフェース１２１０と通信を行い得、例えば、受信された複数の無線周波数信号をダウンコンバートするミキサ、複数のアナログ信号をデジタル形式にコンバートするアナログデジタルコンバータ１２２２、複数のデジタル信号をアナログ形式にコンバートするデジタルアナログコンバータ１２２４、及び複数の信号を送信のためにアップコンバートするミキサを含み得る。更に、ベースバンド回路１２２０は、それぞれの受信／送信信号の物理層（ＰＨＹ）リンク層処理のためのベースバンド又はＰＨＹ処理回路１２２６を含み得る。ベースバンド回路１２２０は、例えば、メディアアクセス制御（ＭＡＣ）／データリンク層処理のためのＭＡＣ処理回路１２２７を含み得る。ベースバンド回路１２２０は、ＭＡＣ処理回路１２２７及び／又は例えば、１又は複数のインターフェース１２３４を介してコンピューティングプラットフォーム１２３０と通信するためのメモリコントローラ１２３２を含み得る。
【００５０】
いくつかの実施形態において、ＰＨＹ処理回路１２２６は、複数の通信フレームを構築及び／又は解体すべく、フレーム構成及び／又は検出モジュールを、バッファメモリのような追加の回路との組み合わせで含み得る。代替的に又は加えて、ＭＡＣ処理回路１２２７は、これらの機能のうちの特定のものに対する処理を共有し得、又はＰＨＹ処理回路１２２６から独立したこれらの処理を実行し得る。いくつかの実施形態において、ＭＡＣ及びＰＨＹ処理は、単一の回路に統合され得る。
【００５１】
コンピューティングプラットフォーム１２３０は、デバイス１２００にコンピューティング機能を提供し得る。示されるように、コンピューティングプラットフォーム１２３０は、処理コンポーネント１２４０を含み得る。ベースバンド回路１２２０に加えて又は代替的に、デバイス１２００は、図１及び２のＵＥ１０２、ｅＮＢ１０４、及びＡＮＤＳＦサーバ１０８、図６のロジックフロー６００、図７のロジックフロー７００、図８のロジックフロー８００、図９のロジックフロー９００、図１０のロジックフロー１０００、図１１の記憶媒体１１００及び論理回路１２２８のうち１又は複数について、処理コンポーネント１２４０を用いて複数の処理動作又はロジックを実行し得る。処理コンポーネント１２４０（及び／又はＰＨＹ１２２６及び／又はＭＡＣ１２２７）は、様々なハードウェア要素、ソフトウェア要素又は両方の組み合わせを備え得る。ハードウェア要素の複数の例は、複数のデバイス、複数のロジックデバイス、複数のコンポーネント、複数のプロセッサ、複数のマイクロプロセッサ、複数の回路、複数のプロセッサ回路、複数の回路素子（例えば、複数のトランジスタ、複数のレジスタ、複数のコンデンサ、複数のインダクタ等）、複数の集積回路、複数の特定用途向け集積回路（ＡＳＩＣ）、複数のプログラマブルロジックデバイス（ＰＬＤ）、複数のデジタルシグナルプロセッサ（ＤＳＰ）、複数のフィールドプログラマブルゲートアレイ（ＦＰＧＡ）、複数のメモリユニット、複数のロジックゲート、レジスタ、半導体デバイス、複数のチップ、複数のマイクロチップ、複数のチップセット等を含み得る。ソフトウェア要素の複数の例は、複数のソフトウェアコンポーネント、複数のプログラム、複数のアプリケーション、複数のコンピュータプログラム、複数のアプリケーションプログラム、複数のシステムプログラム、複数のソフトウェア開発プログラム、複数のマシンプログラム、オペレーティングシステムソフトウェア、ミドルウェア、ファームウェア、ソフトウェアモジュール、複数のルーチン、サブルーチン、複数の機能、方法、複数のプロシージャ、複数のソフトウェアインターフェース、複数のアプリケーションプログラムインターフェース（ＡＰＩ）、複数の命令セット、コンピューティングコード、コンピュータコード、複数のコードセグメント、複数のコンピュータコードセグメント、複数のワード、複数の値、複数の記号、又はそれらの任意の組み合わせを含み得る。実施形態が複数のハードウェア要素及び／又は複数のソフトウェア要素を用いて実装されるか否かの決定は、所望の計算速度、複数のパワーレベル、複数の、耐熱性、処理サイクル量、複数の入力データレート、複数の出力データレート、複数のメモリリソース、複数のデータバス速度及び他の設計又は性能の制約のような任意の数の要因に従って、所与の実装に望ましいように、異なり得る。
【００５２】
コンピューティングプラットフォーム１２３０は、他の複数のプラットフォームコンポーネント１２５０を更に含み得る。他の複数のプラットフォームコンポーネント１２５０は、１又は複数のプロセッサ、マルチコアプロセッサ、コプロセッサ、メモリユニット、チップセット、コントローラ、周辺機器、インターフェース、発振器、タイミングデバイス、ビデオカード、オーディオカード、マルチメディア入／出力（Ｉ／Ｏ）コンポーネント（例えば、複数のデジタルディスプレイ）、電力供給等のような、複数の共通のコンピューティング要素を含む。メモリユニットの複数の例は限定はされないが、リードオンリメモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、プログラマブルＲＯＭ（ＰＲＯＭ）、消去可能プログラマブルＲＯＭ（ＥＰＲＯＭ）、電気的消去可能プログラマブルＲＯＭ（ＥＥＰＲＯＭ）、フラッシュメモリ、強誘電体ポリマーメモリ、オボニックメモリ、相変化又は強誘電体メモリのようなポリマーメモリ、シリコン酸化膜窒化膜酸化膜シリコン（ＳＯＮＯＳ）メモリ、磁気又は光学カード、独立ディスクの冗長アレイ（ＲＡＩＤ）ドライブのようなデバイスのアレイ、ソリッドステートメモリデバイス（例えば、ＵＳＢメモリ、ソリッドステートドライブ（ＳＳＤ）、及び情報を格納するのに適切な任意の他のタイプの記憶媒体）のような１又は複数のより高速なメモリユニット形式の様々なタイプのコンピュータ可読及び機械可読記憶媒体を含み得る。
【００５３】
デバイス１２００は、例えば、ウルトラモバイルデバイス、モバイルデバイス、固定式デバイス、マシンツーマシン（Ｍ２Ｍ）デバイス、パーソナルデジタルアシスタント（ＰＤＡ）、モバイルコンピューティングデバイス、スマートフォン、電話、デジタル電話、携帯電話、ユーザ機器、ｅＢｏｏｋリーダ、ハンドセット、単方向ページャ、双方向ページャ、メッセージングデバイス、コンピュータ、パーソナルコンピュータ（ＰＣ）、デスクトップコンピュータ、ラップトップコンピュータ、ノートブックコンピュータ、ネットブックコンピュータ、ハンドヘルドコンピュータ、タブレットコンピュータ、サーバ、サーバアレイもしくはサーバファーム、ウェブサーバ、ネットワークサーバ、インターネットサーバ、ワークステーション、ミニコンピュータ、メインフレームコンピュータ、スーパーコンピュータ、ネットワークアプライアンス、ウェブアプライアンス、分散型コンピューティングシステム、複数のマルチプロセッサシステム、複数のプロセッサベースシステム、複数の家電、複数のプログラマブル家電、複数のゲームデバイス、ディスプレイ、テレビ、デジタルテレビ、セットトップボックス、無線アクセスポイント、基地局、ノードＢ、加入者ステーション、モバイル加入者センタ、無線ネットワークコントローラ、ルータ、ハブ、ゲートウェイ、ブリッジ、スイッチ、マシン、又はそれらの組み合わせであり得る。したがって、本明細書に説明されたデバイス１２００に係る複数の機能及び／又は特定の構成は、適宜所望される通り、デバイス１２００の様々な実施形態に含まれ又は省略され得る。
【００５４】
デバイス１２００の複数の実施形態は、複数の単入力単出力（ＳＩＳＯ）アーキテクチャを用いて実装され得る。しかし、特定の複数の実装は、ビーム形成もしくは空間分割多重アクセス（ＳＤＭＡ）用の複数の適応的アンテナ技術を用いた、及び／又は複数のＭＩＭＯ通信技術を用いた、送信及び／又は受信用の複数のアンテナ（例えば、アンテナ１２１８−ｆ）を含み得る。
【００５５】
デバイス１２００の複数のコンポーネント及び複数の機能は、ディスクリート回路、複数の特定用途向け集積回路（ＡＳＩＣ）、複数のロジックゲート及び／又はシングルチップアーキテクチャの任意の組み合わせを用いて実装され得る。更に、デバイス１２００の複数の機能は、複数のマイクロコントローラ、複数のプログラマブルロジックアレイ及び／又は複数のマイクロプロセッサ、又は適宜適切な場合に、上記の任意の組み合わせを用いて実装され得る。複数のハードウェア、ファームウェア及び／又はソフトウェア要素は、本明細書において「ロジック」又は「回路」と集合的又は個別に称され得ることに留意されたい。
【００５６】
図１２のブロック図に示される例示的なデバイス１２００は、多くの可能性のある実装の１つの機能的な説明例を表し得ることが理解されるべきである。したがって、複数の添付図面内に示される複数のブロック機能の分割、省略又は包含は、これらの機能を実装するための複数のハードウェアコンポーネント、回路、ソフトウェア及び／又は要素が、複数の実施形態において必ず分割、省略、又は包含されなければならないことを示唆しない。
【００５７】
図１３は、ブロードバンド無線アクセスシステム１３００の実施形態を示す。図１３に示されるように、ブロードバンド無線アクセスシステム１３００は、インターネット１３１０型ネットワーク等を備えるインターネットプロトコル（ＩＰ）型ネットワークであり得、これは、インターネット１３１０へのモバイル無線アクセス及び／又は固定無線アクセスをサポートすることが可能である。１又は複数の実施形態において、ブロードバンド無線アクセスシステム１３００は、３ＧＰＰ  ＬＴＥ仕様書及び／又はＩＥＥＥ８０２．１６規格のうち１又は複数に準拠するシステムのような、任意のタイプの直交周波数分割多元接続（ＯＦＤＭＡ）ベースの、又はシングルキャリア周波数分割多元接続（ＳＣ−ＦＤＭＡ）ベースの無線ネットワークを備え得、特許請求の範囲に記載された主題の範囲は、これらの点において限定されない。
【００５８】
例示的なブロードバンド無線アクセスシステム１３００において、無線アクセスネットワーク（ＲＡＮ）１３１２及び１３１８は、進化型ノードＢ（ｅＮＢ）１３１４及び１３２０にそれぞれ結合することが可能であることにより、１又は複数の固定式デバイス１３１６とインターネット１３１０との間の、及び／又は１又は複数のモバイルデバイス１３２２とインターネット１３１０との間の無線通信を提供する。固定式デバイス１３１６及びモバイルデバイス１３２２の一例は、図１２のデバイス１２００であり、これは、デバイス１２００の静止バージョンを備える固定式デバイス１３１６と、デバイス１２００のモバイルバージョンを備えるモバイルデバイス１３２２とを有する。ＲＡＮ１３１２及び１３１８は、ブロードバンド無線アクセスシステム１３００上における１又は複数の物理的エンティティに対して複数のネットワーク機能のマッピングを定義することが可能な複数の特性を実装し得る。ｅＮＢ１３１４及び１３２０は、無線機器を備えることにより、デバイス１２００を参照して説明されたもののような固定式デバイス１３１６及び／又はモバイルデバイス１３２２とのＲＦ通信を提供し得、例えば、３ＧＰＰ  ＬＴＥ仕様書又はＩＥＥＥ８０２．１６規格に準拠するＰＨＹ及びＭＡＣ層機器を備え得る。ｅＮＢ１３１４及び１３２０は、ＩＰバックプレーンを更に備えることにより、それぞれＲＡＮ１３１２及び１３１８を介して、インターネット１３１０と結合し得るが、特許請求の範囲に記載された主題の範囲は、これらの点において限定されない。
【００５９】
ブロードバンド無線アクセスシステム１３００は、ビジテッドコアネットワーク（ＣＮ）１３２４及び／又はホームＣＮ１３２６を更に備え得、これらの各々は、限定されないが、プロキシ及び／又はリレータイプの機能、例えば、認証、許可及び課金（ＡＡＡ）機能、動的ホスト構成プロトコル（ＤＨＣＰ）機能又はドメイン名サービス制御等、公衆交換電話網（ＰＳＴＮ）ゲートウェイもしくはボイスオーバーインターネットプロトコル（ＶｏＩＰ）ゲートウェイのようなドメインゲートウェイ、及び／又はインターネットプロトコル（ＩＰ）タイプのサーバ機能等を含む、１又は複数のネットワーク機能を提供可能であり得る。しかし、これらは、ビジテッドＣＮ１３２４及び／又はホームＣＮ１３２６によって提供することが可能な複数の機能のタイプの単なる例であり、特許請求の範囲に記載された主題の範囲は、これらの点において限定されない。ビジテッドＣＮ１３２４は、ビジテッドＣＮ１３２４が固定式デバイス１３１６又はモバイルデバイス１３２２の通常のサービスプロバイダの一部ではない場合、例えば、固定式デバイス１３１６又はモバイルデバイス１３２２がその個別のホームＣＮ１３２６から離れてローミングしている場合、又は、ブロードバンド無線アクセスシステム１３００が固定式デバイス１３１６又はモバイルデバイス１３２２の通常のサービスプロバイダの一部であるが、ブロードバンド無線アクセスシステム１３００が、固定式デバイス１３１６又はモバイルデバイス１３２２のメイン又はホーム位置ではない別の位置又は状態にあり得る場合には、ビジテッドＣＮと称され得る。複数の実施形態はこの文脈に限定されない。
【００６０】
固定式デバイス１３１６は、自宅又は会社の中又はその近くのようなｅＮＢ１３１４及び１３２０のうち１又は両方の範囲内のいずれかの箇所に位置されることにより、それぞれｅＮＢ１３１４及び１３２０ならびにＲＡＮ１３１２及び１３１８と、ホームＣＮ１３２６とを介して、自宅又は会社の顧客にインターネット１３１０へのブロードバンドアクセスを提供し得る。固定式デバイス１３１６は、概して、静止位置に配置されるが、これは、必要とされる場合には、異なる位置に移動され得ることに留意に値する。モバイルデバイス１３２２は、例えば、ｅＮＢ１３１４及び１３２０のうち１又は両方の範囲内にモバイルデバイス１３２２がある場合に、１又は複数の位置で用いられ得る。１又は複数の実施形態に従って、動作サポートシステム（ＯＳＳ）１３２８は、ブロードバンド無線アクセスシステム１３００の一部であることにより、ブロードバンド無線アクセスシステム１３００に複数の管理機能を提供し得、ブロードバンド無線アクセスシステム１３００の複数の機能的エンティティ間に複数のインターフェースを提供し得る。図１３のブロードバンド無線アクセスシステム１３００は、ブロードバンド無線アクセスシステム１３００の特定の数のコンポーネントを示す無線ネットワークの単なる１つのタイプであり、特許請求の範囲に記載された主題の範囲は、これらの点において限定されない。
【００６１】
複数のハードウェア要素、複数のソフトウェア要素、又は両方の組み合わせを用いて、様々な実施形態が実装され得る。複数のハードウェア要素の複数の例は、複数のプロセッサ、複数のマイクロプロセッサ、複数の回路、複数の回路素子（例えば、複数のトランジスタ、複数のレジスタ、複数のコンデンサ、複数のインダクタ等）、複数の集積回路、複数の特定用途向け集積回路（ＡＳＩＣ）、複数のプログラマブルロジックデバイス（ＰＬＤ）、複数のデジタルシグナルプロセッサ（ＤＳＰ）、フィールドプログラマブルゲートアレイ（ＦＰＧＡ）、複数のロジックゲート、複数のレジスタ、半導体デバイス、複数のチップ、複数のマイクロチップ、複数のチップセット等を含み得る。ソフトウェアの複数の例は、複数のソフトウェアコンポーネント、複数のプログラム、複数のアプリケーション、複数のコンピュータプログラム、複数のアプリケーションプログラム、複数のシステムプログラム、複数のマシンプログラム、オペレーティングシステムソフトウェア、ミドルウェア、ファームウェア、ソフトウェアモジュール、複数のルーチン、複数のサブルーチン、複数の機能、複数の方法、複数のプロシージャ、複数のソフトウェアインターフェース、複数のアプリケーションプログラムインターフェース（ＡＰＩ）、複数の命令セット、コンピューティングコード、コンピュータコード、複数のコードセグメント、複数のコンピュータコードセグメント、複数のワード、複数の値、複数の記号、又はこれらの任意の組み合わせを含み得る。実施形態が複数のハードウェア要素及び／又は複数のソフトウェア要素を用いて実装されるか否かの決定は、所望の計算速度、複数のパワーレベル、複数の耐熱性、処理サイクル量、複数の入力データレート、複数の出力データレート、複数のメモリリソース、複数のデータバス速度、及び他の設計又は性能の制約のような任意の数の要因に従って異なり得る。
【００６２】
少なくとも１つの実施形態の１又は複数の態様は、プロセッサ内の様々なロジックを表す機械可読媒体上に格納された複数の代表的命令によって実装され得、複数の代表的命令は、機械によって読み取られるとき、機械に、本明細書で説明される複数の技術を実行するロジックを作成させる。「ＩＰコア」として知られるそのような表現は、有形の機械可読媒体に格納され得、ロジック又はプロセッサを実際に作成する製造機械にロードする様々な顧客又は製造施設に供給され得る。いくつかの実施形態は、例えば、命令又は複数の命令のセットを格納し得る機械可読媒体又は物品を用いて実装され得、命令又は複数の命令のセットは、機械によって実行された場合に、複数の実施形態に従って、機械に方法及び／又は複数の動作を実行させ得る。そのような機械は、例えば、任意の適切な処理プラットフォーム、コンピューティングプラットフォーム、コンピューティングデバイス、処理デバイス、コンピューティングシステム、処理システム、コンピュータ、プロセッサ、等を含み得、ハードウェア及び／又はソフトウェアの任意の適切な組み合わせを用いて実装され得る。機械可読媒体又は物品は、例えば、任意の適切なタイプのメモリユニット、メモリデバイス、メモリ物品、メモリ媒体、ストレージデバイス、ストレージ物品、記憶媒体及び／又はストレージユニット、例えば、メモリ、取り外し可能又は取り外し不可能媒体、消去可能又は消去不可能媒体、書き込み可能又は再書き込み可能媒体、デジタル又はアナログ媒体、ハードディスク、フロッピ（登録商標）ディスク、コンパクトディスクリードオンリメモリ（ＣＤ−ＲＯＭ）、コンパクトディスクレコーダブル（ＣＤ−Ｒ）、コンパクトディスクリライタブル（ＣＤ−ＲＷ）、光ディスク、磁気媒体、磁気光媒体、複数の取り外し可能メモリカード又はディスク、様々なタイプのデジタル汎用ディスク（ＤＶＤ）、テープ、カセット等を含み得る。複数の命令は、任意の適切な高級言語、低級言語、オブジェクト指向言語、ビジュアル言語、コンパイル型及び／又はインタープリタ型プログラミング言語を用いて実装される、ソースコード、コンパイル型コード、インタープリタ型コード、実行可能コード、スタティックコード、ダイナミックコード、暗号化コード等のような任意の適切なタイプのコードを含み得る。
【００６３】
以下の複数の例は、更なる複数の実施形態に関する。 
【００６４】
例１は、ロジックを備える装置であって、ロジックの少なくとも一部がハードウェアにあり、ロジックは、無線アクセスネットワーク（ＲＡＮ）補助情報を有する受信された無線リソース制御（ＲＲＣ）メッセージを処理し、ＲＡＮ補助情報に含まれるアクセス閾値と、対応する測定値とに基づいて、アクセスネットワーク発見選択機能（ＡＮＤＳＦ）管理オブジェクト（ＭＯ）ルーティングポリシーの閾値条件を評価し、閾値条件の評価に基づいて、インターネットプロトコル（ＩＰ）トラフィックをルーティングすべく、ＡＮＤＳＦ  ＭＯルーティングポリシーを適用する。
【００６５】
例２は、例１の装置であって、ロジックは、ＲＡＮ補助情報に含まれるオフロードプレファレンスインジケータ（ＯＰＩ）に基づいて、ＡＮＤＳＦ  ＭＯルーティングポリシーのＯＰＩ条件を評価し、ＯＰＩ条件の評価と、閾値条件の評価とに基づいて、ＩＰトラフィックをルーティングすべく、ＡＮＤＳＦ  ＭＯルーティングポリシーを適用する。
【００６６】
例３は、例１の装置であって、ＡＮＤＳＦ  ＭＯルーティングポリシーは、システム間ルーティングポリシー（ＩＳＲＰ）を備える。
【００６７】
例４は、例１の装置であって、ＡＮＤＳＦ  ＭＯルーティングポリシーは、アクセスポイントネーム間ルーティングポリシー（ＩＡＲＰ）を備える。
【００６８】
例５は、例１の装置であって、アクセス閾値は、基準信号受信電力（ＲＳＲＰ）閾値を備える。
【００６９】
例６は、例１の装置であって、アクセス閾値は、基準信号受信品質（ＲＳＲＱ）閾値を備える。
【００７０】
例７は、例１の装置であって、アクセス閾値は、基本サービスセット（ＢＳＳ）負荷閾値又はバックホール閾値を備える。
【００７１】
例８は、例１の装置であって、ロジックは、ＡＮＤＳＦ  ＭＯルーティングポリシーを適用することと併せて、１又は複数のＲＡＮルールを無視する。
【００７２】
例９は、例１から８の何れかによる装置と、少なくとも１つの無線周波数（ＲＦ）送受信機と、少なくとも１つのＲＦアンテナとを備える、ユーザ機器（ＵＥ）である。
【００７３】
例１０は、少なくとも１つのメモリユニットと、タッチスクリーンディスプレイとを備える、例９のＵＥである。
【００７４】
例１１は、複数の命令のセットを備える、少なくとも１つの非一時的コンピュータ可読記憶媒体であって、複数の命令のセットは、ユーザ機器（ＵＥ）で実行されたことに応答して、ＵＥに、アクセスネットワーク発見選択機能（ＡＮＤＳＦ）管理オブジェクト（ＭＯ）を、ＵＥのサービング公衆陸上移動ネットワーク（ＰＬＭＮ）のシステム間ルーティングポリシー（ＩＳＲＰ）で構成させ、１又は複数のアクセス閾値を備える受信された無線アクセスネットワーク（ＲＡＮ）補助情報を処理させ、１又は複数のアクセス閾値に基づいて、ＩＳＲＰの１又は複数の閾値条件を評価することによって、ＩＳＲＰに従って、複数の無線アクセスインターフェースにわたってインターネットプロトコル（ＩＰ）トラフィックをルーティングさせる。
【００７５】
例１２は、ＵＥで実行されたことに応答して、ＵＥに、サービングＰＬＭＮに対するＡＮＤＳＦサーバから発信するＡＮＤＳＦ情報に基づいて、ＡＮＤＳＦ  ＭＯを構成させる複数の命令を備える、例１１の少なくとも１つの非一時的コンピュータ可読記憶媒体である。
【００７６】
例１３は、例１１の少なくとも１つの非一時的コンピュータ可読記憶媒体であって、複数の無線アクセスインターフェースは、第３世代パートナーシッププロジェクト（３ＧＰＰ）無線アクセスインターフェースと、無線ローカルエリアネットワーク（ＷＬＡＮ）無線アクセスインターフェースとを含む。
【００７７】
例１４は、例１１の少なくとも１つの非一時的コンピュータ可読記憶媒体であって、１又は複数のアクセス閾値は、１又は複数の基準信号受信電力（ＲＳＲＰ）閾値を含む。
【００７８】
例１５は、例１１の少なくとも１つの非一時的コンピュータ可読記憶媒体であって、１又は複数のアクセス閾値は、１又は複数の基準信号受信品質（ＲＳＲＱ）閾値を含む。
【００７９】
例１６は、例１１の少なくとも１つの非一時的コンピュータ可読記憶媒体であって、１又は複数のアクセス閾値は、１又は複数の基本サービスセット（ＢＳＳ）負荷閾値を含む。
【００８０】
例１７は、例１１の少なくとも１つの非一時的コンピュータ可読記憶媒体であって、１又は複数のアクセス閾値は、１又は複数のバックホール閾値を含む。
【００８１】
例１８は、ＵＥで実行されたことに応答して、ＵＥに、１又は複数のアクセス閾値に基づいて、ＩＳＲＰの１又は複数の閾値条件を評価し、ＲＡＮ補助情報に含まれるオフロードプレファレンスインジケータ（ＯＰＩ）に基づいて、ＩＳＲＰのＯＰＩ条件を評価することによって、ＩＳＲＰに従って、複数の無線アクセスインターフェースにわたって、ＩＰトラフィックをルーティングさせる複数の命令を備える、例１１の少なくとも１つの非一時的コンピュータ可読記憶媒体である。
【００８２】
例１９は、ユーザ機器（ＵＥ）での処理回路によって、ＵＥのサービングセルと関連する無線リソース制御（ＲＲＣ）情報を処理する段階であって、ＲＲＣ情報は、１又は複数のアクセス閾値を含む無線アクセスネットワーク（ＲＡＮ）補助情報を有する段階と、ＵＥに対するアクセスネットワーク発見選択機能（ＡＮＤＳＦ）管理オブジェクト（ＭＯ）ルーティングポリシーを構成する段階と、少なくとも１つのアクセス閾値に対する対応する測定値を特定し、少なくとも１つのアクセス閾値を、その対応する測定値と比較することによって、ルーティングポリシーに基づいて、１又は複数のインターネットプロトコル（ＩＰ）トラフィックフローを処理するためのプロシージャを決定する段階とを備える無線通信方法である。
【００８３】
例２０は、例１９の無線通信方法であって、１又は複数のアクセス閾値は、１又は複数の基準信号受信電力（ＲＳＲＰ）閾値を含む。
【００８４】
例２１は、例１９の無線通信方法であって、１又は複数のアクセス閾値は、１又は複数の基準信号受信品質（ＲＳＲＱ）閾値を含む。
【００８５】
例２２は、例１９の無線通信方法であって、１又は複数のアクセス閾値は、１又は複数の基本サービスセット（ＢＳＳ）負荷閾値を含む。
【００８６】
例２３は、例１９の無線通信方法であって、１又は複数のアクセス閾値は、１又は複数のバックホール閾値を含む。
【００８７】
例２４は、例１９の無線通信方法であって、決定されたプロシージャは、複数のパケットデータネットワーク（ＰＤＮ）接続にわたってＩＰトラフィックをルーティングすることを備える。
【００８８】
例２５は、例１９の無線通信方法であって、決定されたプロシージャは、ＩＰトラフィックを、無線ローカルエリアネットワーク（ＷＬＡＮ）に非シームレスにオフロードすることを備える。
【００８９】
例２６は、例１９の無線通信方法であって、ロジックは、Ｓ１４インターフェースを介して受信されたＡＮＤＳＦ情報に基づいて、ルーティングポリシーを構成する。
【００９０】
例２７は、複数の命令のセットを備える、少なくとも１つの非一時的コンピュータ可読記憶媒体であって、複数の命令のセットは、コンピューティングデバイス上で実行されたことに応答して、コンピューティングデバイスに、例１９から２６の何れかによる無線通信方法を実行させる。
【００９１】
例２８は、例１９から２６の何れかによる無線通信方法を実行する手段を備える装置である。
【００９２】
例２９は、例２８の装置と、少なくとも１つの無線周波数（ＲＦ）送受信機と、少なくとも１つのＲＦアンテナとを備えるシステムである。
【００９３】
例３０は、少なくとも１つのメモリユニットと、タッチスクリーンディスプレイとを備える、例２９のシステムである。
【００９４】
例３１は、ユーザ機器（ＵＥ）が、複数のＡＮＤＳＦルーティングポリシーにおいて複数の無線アクセスネットワーク（ＲＡＮ）閾値の使用をサポートするか否かを決定すべく、ＵＥに対する受信されたデバイス機能情報を処理する手段と、ＵＥが、複数のＡＮＤＳＦルーティングポリシーにおいて複数のＲＡＮ閾値の使用をサポートするという決定に応答して、ＵＥに対するＡＮＤＳＦ管理オブジェクト（ＭＯ）を、１又は複数のＲＡＮ閾値ベースのＡＮＤＳＦルールを含むＡＮＤＳＦルーティングポリシーで構成する手段とを備える装置である。
【００９５】
例３２は、ＵＥが、複数のＡＮＤＳＦルーティングポリシーにおいて複数のＲＡＮ閾値の使用をサポートしないという決定に応答して、ＵＥに対するＡＮＤＳＦ  ＭＯを、任意の複数のＲＡＮ閾値ベースのＡＮＤＳＦルールを含まないＡＮＤＳＦルーティングポリシーで構成する手段を備える、例３１の装置である。
【００９６】
例３３は、ＵＥに対するホームオペレータが、複数のビジテッド公衆陸上移動ネットワーク（Ｖ−ＰＬＭＮ）ＲＡＮ閾値を好むか否かを示すべく、ＵＥに対するＡＮＤＳＦ  ＭＯ内にパラメータを設定する手段を備える、例３１の装置である。
【００９７】
例３４は、例３１の装置であって、ＡＮＤＳＦルーティングポリシーは、システム間ルーティングポリシー（ＩＳＲＰ）を備える。
【００９８】
例３５は、例３１の装置であって、ＡＮＤＳＦルーティングポリシーは、アクセスポイントネーム間ルーティングポリシー（ＩＡＲＰ）を備える。
【００９９】
例３６は、例３１から３５の何れかによる装置と、少なくとも１つのプロセッサと、少なくとも１つのメモリユニットとを備えるシステムである。
【０１００】
例３７は、少なくとも１つの無線周波数（ＲＦ）送受信機と、少なくとも１つのＲＦアンテナとを備える、例３６のシステムである。
【０１０１】
例３８は、複数の命令のセットを備える、少なくとも１つの非一時的コンピュータ可読記憶媒体であって、複数の命令のセットは、ユーザ機器（ＵＥ）で実行されたことに応答して、ＵＥに、ＵＥのサービングセルと関連する無線リソース制御（ＲＲＣ）情報を処理させ、ＵＥに対するアクセスネットワーク発見選択機能（ＡＮＤＳＦ）管理オブジェクト（ＭＯ）ルーティングポリシーを構成させ、少なくとも１つのアクセス閾値に対する対応する測定値を特定し、少なくとも１つのアクセス閾値を、その対応する測定値と比較することによって、ルーティングポリシーに基づいて、１又は複数のインターネットプロトコル（ＩＰ）トラフィックフローを処理するためのプロシージャを決定させ、ＲＲＣ情報は、１又は複数のアクセス閾値を含む無線アクセスネットワーク（ＲＡＮ）補助情報を有する。
【０１０２】
例３９は、例３８の少なくとも１つの非一時的コンピュータ可読記憶媒体であって、１又は複数のアクセス閾値は、１又は複数の基準信号受信電力（ＲＳＲＰ）閾値を含む。
【０１０３】
例４０は、例３８の少なくとも１つの非一時的コンピュータ可読記憶媒体であって、１又は複数のアクセス閾値は、１又は複数の基準信号受信品質（ＲＳＲＱ）閾値を含む。
【０１０４】
例４１は、例３８の少なくとも１つの非一時的コンピュータ可読記憶媒体であって、１又は複数のアクセス閾値は、１又は複数の基本サービスセット（ＢＳＳ）負荷閾値を含む。
【０１０５】
例４２は、例３８の少なくとも１つの非一時的コンピュータ可読記憶媒体であって、１又は複数のアクセス閾値は、１又は複数のバックホール閾値を含む。
【０１０６】
例４３は、例３８の少なくとも１つの非一時的コンピュータ可読記憶媒体であって、決定されたプロシージャは、複数のパケットデータネットワーク（ＰＤＮ）接続にわたってＩＰトラフィックをルーティングすることを備える。
【０１０７】
例４４は、例３８の少なくとも１つの非一時的コンピュータ可読記憶媒体であって、決定されたプロシージャは、ＩＰトラフィックを、無線ローカルエリアネットワーク（ＷＬＡＮ）に非シームレスにオフロードすることを備える。
【０１０８】
例４５は、例３８の少なくとも１つの非一時的コンピュータ可読記憶媒体であって、ロジックは、Ｓ１４インターフェースを介して受信されたＡＮＤＳＦ情報に基づいて、ルーティングポリシーを構成する。
【０１０９】
例４６は、ユーザ機器（ＵＥ）が、複数のアクセスネットワーク発見選択機能（ＡＮＤＳＦ）ルーティングポリシーにおいて複数の無線アクセスネットワーク（ＲＡＮ）閾値の使用をサポートするか否かを決定すべく、ＡＮＤＳＦサーバの処理回路によって、ＵＥに対する受信されたデバイス機能情報を処理する段階と、ＵＥが、複数のＡＮＤＳＦルーティングポリシーにおいて複数のＲＡＮ閾値の使用をサポートするという決定に応答して、ＵＥに対するＡＮＤＳＦ管理オブジェクト（ＭＯ）を、１又は複数のＲＡＮ閾値ベースのＡＮＤＳＦルールを含むＡＮＤＳＦルーティングポリシーで構成する段階とを備える無線通信方法である。
【０１１０】
例４７は、ＵＥが、複数のＡＮＤＳＦルーティングポリシーにおいて複数のＲＡＮ閾値の使用をサポートしないという決定に応答して、ＵＥに対するＡＮＤＳＦ  ＭＯを、任意の複数のＲＡＮ閾値ベースのＡＮＤＳＦルールを含まないＡＮＤＳＦルーティングポリシーで構成する段階を備える、例４６の無線通信方法である。
【０１１１】
例４８は、ＵＥに対するホームオペレータが、複数のビジテッド公衆陸上移動ネットワーク（Ｖ−ＰＬＭＮ）ＲＡＮ閾値を好むか否かを示すべく、ＵＥに対するＡＮＤＳＦ  ＭＯ内にパラメータを設定する段階を備える、例４６の無線通信方法である。
【０１１２】
例４９は、例４６の無線通信方法であって、ＡＮＤＳＦルーティングポリシーは、システム間ルーティングポリシー（ＩＳＲＰ）を備える。
【０１１３】
例５０は、例４６の無線通信方法であって、ＡＮＤＳＦルーティングポリシーは、アクセスポイントネーム間ルーティングポリシー（ＩＡＲＰ）を備える。
【０１１４】
例５１は、複数の命令のセットを備える、少なくとも１つの非一時的コンピュータ可読記憶媒体であって、複数の命令のセットは、コンピューティングデバイス上で実行されたことに応答して、コンピューティングデバイスに、例４６から５０の何れかによる無線通信方法を実行させる。
【０１１５】
例５２は、例４６から５０の何れかによる無線通信方法を実行する手段を備える装置である。
【０１１６】
例５３は、例５２の装置と、少なくとも１つのプロセッサと、少なくとも１つのメモリユニットとを備えるシステムである。
【０１１７】
例５４は、少なくとも１つの無線周波数（ＲＦ）送受信機と、少なくとも１つのＲＦアンテナとを備える、例５３のシステムである。
【０１１８】
例５５は、無線アクセスネットワーク（ＲＡＮ）補助情報を有する受信された無線リソース制御（ＲＲＣ）メッセージを処理する手段と、ＲＡＮ補助情報に含まれるアクセス閾値と、対応する測定値とに基づいて、アクセスネットワーク発見選択機能（ＡＮＤＳＦ）管理オブジェクト（ＭＯ）ルーティングポリシーの閾値条件を評価する手段と、閾値条件の評価に基づいて、インターネットプロトコル（ＩＰ）トラフィックをルーティングすべく、ＡＮＤＳＦ  ＭＯルーティングポリシーを適用する手段とを備える装置である。
【０１１９】
例５６は、ＲＡＮ補助情報に含まれるオフロードプレファレンスインジケータ（ＯＰＩ）に基づいて、ＡＮＤＳＦ  ＭＯルーティングポリシーのＯＰＩ条件を評価する手段と、ＯＰＩ条件の評価と、閾値条件の評価とに基づいて、ＩＰトラフィックをルーティングすべく、ＡＮＤＳＦ  ＭＯルーティングポリシーを適用する手段とを備える、例５５の装置である。
【０１２０】
例５７は、例５５の装置であって、ＡＮＤＳＦ  ＭＯルーティングポリシーは、システム間ルーティングポリシー（ＩＳＲＰ）を備える。
【０１２１】
例５８は、例５５の装置であって、ＡＮＤＳＦ  ＭＯルーティングポリシーは、アクセスポイントネーム間ルーティングポリシー（ＩＡＲＰ）を備える。
【０１２２】
例５９は、例５５の装置であって、アクセス閾値は、基準信号受信電力（ＲＳＲＰ）閾値を備える。
【０１２３】
例６０は、例５５の装置であって、アクセス閾値は、基準信号受信品質（ＲＳＲＱ）閾値を備える。
【０１２４】
例６１は、例５５の装置であって、アクセス閾値は、基本サービスセット（ＢＳＳ）負荷閾値又はバックホール閾値を備える。
【０１２５】
例６２は、ＡＮＤＳＦ  ＭＯルーティングポリシーを適用することと併せて、１又は複数のＲＡＮルールを無視する手段を備える、例５５の装置である。
【０１２６】
例６３は、例５５から６２の何れかによる装置と、少なくとも１つの無線周波数（ＲＦ）送受信機と、少なくとも１つの複数のＲＦアンテナとを備えるシステムである。
【０１２７】
例６４は、少なくとも１つのメモリユニットと、タッチスクリーンディスプレイとを備える、例６３のシステムである。
【０１２８】
例６５は、ロジックを備える装置であって、ロジックの少なくとも一部がハードウェアにあり、ロジックは、アクセスネットワーク発見選択機能（ＡＮＤＳＦ）管理オブジェクト（ＭＯ）を、ユーザ機器（ＵＥ）のサービング公衆陸上移動ネットワーク（ＰＬＭＮ）のシステム間ルーティングポリシー（ＩＳＲＰ）で構成し、１又は複数のアクセス閾値を備える受信された無線アクセスネットワーク（ＲＡＮ）補助情報を処理し、１又は複数のアクセス閾値に基づいて、ＩＳＲＰの１又は複数の閾値条件を評価することによって、ＩＳＲＰに従って、複数の無線アクセスインターフェースにわたってインターネットプロトコル（ＩＰ）トラフィックをルーティングする。
【０１２９】
例６６は、例６５の装置であって、ロジックは、サービングＰＬＭＮに対するＡＮＤＳＦサーバから発信するＡＮＤＳＦ情報に基づいて、ＡＮＤＳＦ  ＭＯを構成する。
【０１３０】
例６７は、例６５の装置であって、複数の無線アクセスインターフェースは、第３世代パートナーシッププロジェクト（３ＧＰＰ）無線アクセスインターフェースと、無線ローカルエリアネットワーク（ＷＬＡＮ）無線アクセスインターフェースとを含む。
【０１３１】
例６８は、例６５の装置であって、１又は複数のアクセス閾値は、１又は複数の基準信号受信電力（ＲＳＲＰ）閾値を含む。
【０１３２】
例６９は、例６５の装置であって、１又は複数のアクセス閾値は、１又は複数の基準信号受信品質（ＲＳＲＱ）閾値を含む。
【０１３３】
例７０は、例６５の装置であって、１又は複数のアクセス閾値は、１又は複数の基本サービスセット（ＢＳＳ）負荷閾値を含む。
【０１３４】
例７１は、例６５の装置であって、１又は複数のアクセス閾値は、１又は複数のバックホール閾値を含む。
【０１３５】
例７２は、例６５の装置であって、ロジックは、１又は複数のアクセス閾値に基づいて、ＩＳＲＰの１又は複数の閾値条件を評価し、ＲＡＮ補助情報に含まれるオフロードプレファレンスインジケータ（ＯＰＩ）に基づいて、ＩＳＲＰのＯＰＩ条件を評価することによって、ＩＳＲＰに従って、複数の無線アクセスインターフェースにわたってＩＰトラフィックをルーティングする。
【０１３６】
例７３は、例６５から７２の何れかによる装置と、少なくとも１つの無線周波数（ＲＦ）送受信機と、少なくとも１つのＲＦアンテナとを備えるシステムである。
【０１３７】
例７４は、少なくとも１つのメモリユニットと、タッチスクリーンディスプレイとを備える、例７３のシステムである。
【０１３８】
例７５は、ユーザ機器（ＵＥ）での処理回路によって、無線アクセスネットワーク（ＲＡＮ）補助情報を有する受信された無線リソース制御（ＲＲＣ）メッセージを処理する段階と、ＲＡＮ補助情報に含まれるアクセス閾値と、対応する測定値とに基づいて、アクセスネットワーク発見選択機能（ＡＮＤＳＦ）管理オブジェクト（ＭＯ）ルーティングポリシーの閾値条件を評価する段階と、閾値条件の評価に基づいて、インターネットプロトコル（ＩＰ）トラフィックをルーティングすべく、ＡＮＤＳＦ  ＭＯルーティングポリシーを適用する段階とを備える無線通信方法である。
【０１３９】
例７６は、ＲＡＮ補助情報に含まれるオフロードプレファレンスインジケータ（ＯＰＩ）に基づいて、ＡＮＤＳＦ  ＭＯルーティングポリシーのＯＰＩ条件を評価する段階と、ＯＰＩ条件の評価と、閾値条件の評価とに基づいて、ＩＰトラフィックをルーティングすべく、ＡＮＤＳＦ  ＭＯルーティングポリシーを適用する段階とを備える、例７５の無線通信方法である。
【０１４０】
例７７は、例７５の無線通信方法であって、ＡＮＤＳＦ  ＭＯルーティングポリシーは、システム間ルーティングポリシー（ＩＳＲＰ）を備える。
【０１４１】
例７８は、例７５の無線通信方法であって、ＡＮＤＳＦ  ＭＯルーティングポリシーは、アクセスポイントネーム間ルーティングポリシー（ＩＡＲＰ）を備える。
【０１４２】
例７９は、例７５の無線通信方法であって、アクセス閾値は、基準信号受信電力（ＲＳＲＰ）閾値を備える。
【０１４３】
例８０は、例７５の無線通信方法であって、アクセス閾値は、基準信号受信品質（ＲＳＲＱ）閾値を備える。
【０１４４】
例８１は、例７５の無線通信方法であって、アクセス閾値は、基本サービスセット（ＢＳＳ）負荷閾値又はバックホール閾値を備える。
【０１４５】
例８２は、ＡＮＤＳＦ  ＭＯルーティングポリシーを適用することと併せて、１又は複数のＲＡＮルールを無視する段階を備える、例７５の無線通信方法である。
【０１４６】
例８３は、複数の命令のセットを備える、少なくとも１つの非一時的コンピュータ可読記憶媒体であって、複数の命令のセットは、コンピューティングデバイス上で実行されたことに応答して、コンピューティングデバイスに、例７５から８２の何れかによる無線通信方法を実行させる。
【０１４７】
例８４は、例７５から８２の何れかによる無線通信方法を実行する手段を備える装置である。
【０１４８】
例８５は、例８４の装置と、少なくとも１つの無線周波数（ＲＦ）送受信機と、少なくとも１つのＲＦアンテナとを備えるシステムである。
【０１４９】
例８６は、少なくとも１つのメモリユニットと、タッチスクリーンディスプレイとを備える、例８５のシステムである。
【０１５０】
例８７は、アクセスネットワーク発見選択機能（ＡＮＤＳＦ）管理オブジェクト（ＭＯ）を、ユーザ機器（ＵＥ）のサービング公衆陸上移動ネットワーク（ＰＬＭＮ）のシステム間ルーティングポリシー（ＩＳＲＰ）で構成する手段と、１又は複数のアクセス閾値を備える受信された無線アクセスネットワーク（ＲＡＮ）補助情報を処理する手段と、１又は複数のアクセス閾値に基づいて、ＩＳＲＰの１又は複数の閾値条件を評価することによって、ＩＳＲＰに従って、複数の無線アクセスインターフェースにわたってインターネットプロトコル（ＩＰ）トラフィックをルーティングする手段とを備える装置である。
【０１５１】
例８８は、サービングＰＬＭＮに対するＡＮＤＳＦサーバから発信するＡＮＤＳＦ情報に基づいて、ＡＮＤＳＦ  ＭＯを構成する手段を備える、例８７の装置である。
【０１５２】
例８９は、例８７の装置であって、複数の無線アクセスインターフェースは、第３世代パートナーシッププロジェクト（３ＧＰＰ）無線アクセスインターフェースと、無線ローカルエリアネットワーク（ＷＬＡＮ）無線アクセスインターフェースとを含む。
【０１５３】
例９０は、例８７の装置であって、１又は複数のアクセス閾値は、１又は複数の基準信号受信電力（ＲＳＲＰ）閾値を含む。
【０１５４】
例９１は、例８７の装置であって、１又は複数のアクセス閾値は、１又は複数の基準信号受信品質（ＲＳＲＱ）閾値を含む。
【０１５５】
例９２は、例８７の装置であって、１又は複数のアクセス閾値は、１又は複数の基本サービスセット（ＢＳＳ）負荷閾値を含む。
【０１５６】
例９３は、例８７の装置であって、１又は複数のアクセス閾値は、１又は複数のバックホール閾値を含む。
【０１５７】
例９４は、例８７の装置であって、１又は複数のアクセス閾値に基づいて、ＩＳＲＰの１又は複数の閾値条件を評価して、ＲＡＮ補助情報に含まれるオフロードプレファレンスインジケータ（ＯＰＩ）に基づいて、ＩＳＲＰのＯＰＩ条件を評価することによって、ＩＳＲＰに従って、複数の無線アクセスインターフェースにわたってＩＰトラフィックをルーティングする手段を備える。
【０１５８】
例９５は、例８７から９４の何れかによる装置と、少なくとも１つの無線周波数（ＲＦ）送受信機と、少なくとも１つのＲＦアンテナとを備えるシステムである。
【０１５９】
例９６は、少なくとも１つのメモリユニットと、タッチスクリーンディスプレイとを備える、例９５のシステムである。
【０１６０】
例９７は、ロジックを備える装置であって、ロジックの少なくとも一部がハードウェアにあり、ロジックは、ユーザ機器（ＵＥ）のサービングセルと関連する無線リソース制御（ＲＲＣ）情報を処理し、ＲＲＣ情報は、１又は複数のアクセス閾値を含む無線アクセスネットワーク（ＲＡＮ）補助情報を有し、ロジックは、ＵＥに対するアクセスネットワーク発見選択機能（ＡＮＤＳＦ）管理オブジェクト（ＭＯ）のルーティングポリシーを構成し、少なくとも１つのアクセス閾値に対する対応する測定値を特定し、少なくとも１つのアクセス閾値を、その対応する測定値と比較することによって、ルーティングポリシーに基づいて、１又は複数のインターネットプロトコル（ＩＰ）トラフィックフローを処理するためのプロシージャを決定する。
【０１６１】
例９８は、例９７の装置であって、１又は複数のアクセス閾値は、１又は複数の基準信号受信電力（ＲＳＲＰ）閾値を含む。
【０１６２】
例９９は、例９７の装置であって、１又は複数のアクセス閾値は、１又は複数の基準信号受信品質（ＲＳＲＱ）閾値を含む。
【０１６３】
例１００は、例９７の装置であって、１又は複数のアクセス閾値は、１又は複数の基本サービスセット（ＢＳＳ）負荷閾値を含む。
【０１６４】
例１０１は、例９７の装置であって、１又は複数のアクセス閾値は、１又は複数のバックホール閾値を含む。
【０１６５】
例１０２は、例９７の装置であって、決定されたプロシージャは、複数のパケットデータネットワーク（ＰＤＮ）接続にわたってＩＰトラフィックをルーティングすることを備える。
【０１６６】
例１０３は、例９７の装置であって、決定されたプロシージャは、ＩＰトラフィックを、無線ローカルエリアネットワーク（ＷＬＡＮ）に非シームレスにオフロードすることを備える。
【０１６７】
例１０４は、例９７の装置であって、ロジックは、Ｓ１４インターフェースを介して受信されたＡＮＤＳＦ情報に基づいて、ルーティングポリシーを構成する。
【０１６８】
例１０５は、例９７から１０４の何れかによる装置と、少なくとも１つの無線周波数（ＲＦ）送受信機と、少なくとも１つのＲＦアンテナとを備えるシステムである。
【０１６９】
例１０６は、少なくとも１つのメモリユニットと、タッチスクリーンディスプレイとを備える、例１０５のシステムである。
【０１７０】
例１０７は、複数の命令のセットを備える、少なくとも１つの非一時的コンピュータ可読記憶媒体であって、複数の命令のセットは、コンピューティングデバイス上で実行されたことに応答して、コンピューティングデバイスに、ユーザ機器（ＵＥ）が、複数のアクセスネットワーク発見選択機能（ＡＮＤＳＦ）ルーティングポリシーにおいて複数の無線アクセスネットワーク（ＲＡＮ）閾値の使用をサポートするか否かを決定すべく、ＵＥに対する受信されたデバイス機能情報を処理させ、ＵＥが、複数のＡＮＤＳＦルーティングポリシーにおいて複数のＲＡＮ閾値の使用をサポートするという決定に応答して、ＵＥに対するＡＮＤＳＦ管理オブジェクト（ＭＯ）を、１又は複数のＲＡＮ閾値ベースのＡＮＤＳＦルールを含むＡＮＤＳＦルーティングポリシーで構成させる。
【０１７１】
例１０８は、コンピューティングデバイス上で実行されたことに応答して、コンピューティングデバイスに、ＵＥが、複数のＡＮＤＳＦルーティングポリシーにおいて複数のＲＡＮ閾値の使用をサポートしないという決定に応答して、ＵＥに対するＡＮＤＳＦ  ＭＯを、任意の複数のＲＡＮ閾値ベースのＡＮＤＳＦルールを含まないＡＮＤＳＦルーティングポリシーで構成させる複数の命令を備える、例１０７の少なくとも１つの非一時的コンピュータ可読記憶媒体である。
【０１７２】
例１０９は、コンピューティングデバイス上で実行されたことに応答して、コンピューティングデバイスに、ＵＥに対するホームオペレータが、複数のビジテッド公衆陸上移動ネットワーク（Ｖ−ＰＬＭＮ）ＲＡＮ閾値を好むか否かを示すべく、ＵＥに対するＡＮＤＳＦ  ＭＯ内にパラメータを設定させる複数の命令を備える、例１０７の少なくとも１つの非一時的コンピュータ可読記憶媒体である。
【０１７３】
例１１０は、例１０７の少なくとも１つの非一時的コンピュータ可読記憶媒体であって、ＡＮＤＳＦルーティングポリシーは、システム間ルーティングポリシー（ＩＳＲＰ）を備える。
【０１７４】
例１１１は、例１０７の少なくとも１つの非一時的コンピュータ可読記憶媒体であって、ＡＮＤＳＦルーティングポリシーは、アクセスポイントネーム間ルーティングポリシー（ＩＡＲＰ）を備える。
【０１７５】
例１１２は、ユーザ機器（ＵＥ）のサービングセルと関連する無線リソース制御（ＲＲＣ）情報を処理する手段であって、ＲＲＣ情報は、１又は複数のアクセス閾値を含む無線アクセスネットワーク（ＲＡＮ）補助情報を有する手段と、ＵＥに対するアクセスネットワーク発見選択機能（ＡＮＤＳＦ）管理オブジェクト（ＭＯ）のルーティングポリシーを構成する手段と、少なくとも１つのアクセス閾値に対する対応する測定値を特定し、少なくとも１つのアクセス閾値を、その対応する測定値と比較することによって、ルーティングポリシーに基づいて、１又は複数のインターネットプロトコル（ＩＰ）トラフィックフローを処理するためのプロシージャを決定する手段とを備える装置である。
【０１７６】
例１１３は、例１１２の装置であって、１又は複数のアクセス閾値は、１又は複数の基準信号受信電力（ＲＳＲＰ）閾値を含む。
【０１７７】
例１１４は、例１１２の装置であって、１又は複数のアクセス閾値は、１又は複数の基準信号受信品質（ＲＳＲＱ）閾値を含む。
【０１７８】
例１１５は、例１１２の装置であって、１又は複数のアクセス閾値は、１又は複数の基本サービスセット（ＢＳＳ）負荷閾値を含む。
【０１７９】
例１１６は、例１１２の装置であって、１又は複数のアクセス閾値は、１又は複数のバックホール閾値を含む。
【０１８０】
例１１７は、例１１２の装置であって、決定されたプロシージャは、複数のパケットデータネットワーク（ＰＤＮ）接続にわたってＩＰトラフィックをルーティングすることを備える。
【０１８１】
例１１８は、例１１２の装置であって、決定されたプロシージャは、ＩＰトラフィックを、無線ローカルエリアネットワーク（ＷＬＡＮ）に非シームレスにオフロードすることを備える。
【０１８２】
例１１９は、例１１２の装置であって、ロジックは、Ｓ１４インターフェースを介して受信されたＡＮＤＳＦ情報に基づいて、ルーティングポリシーを構成する。
【０１８３】
例１２０は、例１１２から１１９の何れかによる装置と、少なくとも１つの無線周波数（ＲＦ）送受信機と、少なくとも１つのＲＦアンテナとを備えるシステムである。
【０１８４】
例１２１は、少なくとも１つのメモリユニットと、タッチスクリーンディスプレイとを備える、例１２０のシステムである。
【０１８５】
例１２２は、ロジックを備える装置であって、ロジックの少なくとも一部がハードウェアにあり、ロジックは、ユーザ機器（ＵＥ）が、複数のアクセスネットワーク発見選択機能（ＡＮＤＳＦ）ルーティングポリシーにおいて複数の無線アクセスネットワーク（ＲＡＮ）閾値の使用をサポートするか否かを決定すべく、ＵＥに対する受信されたデバイス機能情報を処理し、ＵＥが、複数のＡＮＤＳＦルーティングポリシーにおいて複数のＲＡＮ閾値の使用をサポートするという決定に応答して、ＵＥに対するＡＮＤＳＦ管理オブジェクト（ＭＯ）を、１又は複数のＲＡＮ閾値ベースのＡＮＤＳＦルールを含むＡＮＤＳＦルーティングポリシーで構成する。
【０１８６】
例１２３は、例１２２の装置であって、ロジックは、ＵＥが、複数のＡＮＤＳＦルーティングポリシーにおいて複数のＲＡＮ閾値の使用をサポートしないという決定に応答して、ＵＥに対するＡＮＤＳＦ  ＭＯを、任意の複数のＲＡＮ閾値ベースのＡＮＤＳＦルールを含まないＡＮＤＳＦルーティングポリシーで構成する。
【０１８７】
例１２４は、例１２２の装置であって、ロジックは、ＵＥに対するホームオペレータが、複数のビジテッド公衆陸上移動ネットワーク（Ｖ−ＰＬＭＮ）ＲＡＮ閾値を好むか否かを示すべく、ＵＥに対するＡＮＤＳＦ  ＭＯ内にパラメータを設定する。
【０１８８】
例１２５は、例１２２の装置であって、ＡＮＤＳＦルーティングポリシーは、システム間ルーティングポリシー（ＩＳＲＰ）を備える。
【０１８９】
例１２６は、例１２２の装置であって、ＡＮＤＳＦルーティングポリシーは、アクセスポイントネーム間ルーティングポリシー（ＩＡＲＰ）を備える。
【０１９０】
例１２７は、例１２２から１２６の何れかによる装置と、少なくとも１つのプロセッサと、少なくとも１つのメモリユニットとを備えるシステムである。
【０１９１】
例１２８は、少なくとも１つの無線周波数（ＲＦ）送受信機と、少なくとも１つのＲＦアンテナとを備える、例１２７のシステムである。
【０１９２】
例１２９は、複数の命令のセットを備える、少なくとも１つの非一時的コンピュータ可読記憶媒体であって、複数の命令のセットは、ユーザ機器（ＵＥ）で実行されたことに応答して、ＵＥに、無線アクセスネットワーク（ＲＡＮ）補助情報を有する受信された無線リソース制御（ＲＲＣ）メッセージを処理させ、ＲＡＮ補助情報に含まれるアクセス閾値と、対応する測定値とに基づいて、アクセスネットワーク発見選択機能（ＡＮＤＳＦ）管理オブジェクト（ＭＯ）ルーティングポリシーの閾値条件を評価させ、閾値条件の評価に基づいて、インターネットプロトコル（ＩＰ）トラフィックをルーティングすべく、ＡＮＤＳＦ  ＭＯルーティングポリシーを適用させる。
【０１９３】
例１３０は、ＵＥで実行されたことに応答して、ＵＥに、ＲＡＮ補助情報に含まれるオフロードプレファレンスインジケータ（ＯＰＩ）に基づいて、ＡＮＤＳＦ  ＭＯルーティングポリシーのＯＰＩ条件を評価させ、ＯＰＩ条件の評価と、閾値条件の評価とに基づいて、ＩＰトラフィックをルーティングすべく、ＡＮＤＳＦ  ＭＯルーティングポリシーを適用させる複数の命令を備える、例１２９の少なくとも１つの非一時的コンピュータ可読記憶媒体である。
【０１９４】
例１３１は、例１２９の少なくとも１つの非一時的コンピュータ可読記憶媒体であって、ＡＮＤＳＦ  ＭＯルーティングポリシーは、システム間ルーティングポリシー（ＩＳＲＰ）を備える。
【０１９５】
例１３２は、例１２９の少なくとも１つの非一時的コンピュータ可読記憶媒体であって、ＡＮＤＳＦ  ＭＯルーティングポリシーは、アクセスポイントネーム間ルーティングポリシー（ＩＡＲＰ）を備える。
【０１９６】
例１３３は、例１２９の少なくとも１つの非一時的コンピュータ可読記憶媒体であって、アクセス閾値は、基準信号受信電力（ＲＳＲＰ）閾値を備える。
【０１９７】
例１３４は、例１２９の少なくとも１つの非一時的コンピュータ可読記憶媒体であって、アクセス閾値は、基準信号受信品質（ＲＳＲＱ）閾値を備える。
【０１９８】
例１３５は、例１２９の少なくとも１つの非一時的コンピュータ可読記憶媒体であって、アクセス閾値は、基本サービスセット（ＢＳＳ）負荷閾値又はバックホール閾値を備える。
【０１９９】
例１３６は、ＵＥで実行されたことに応答して、ＵＥに、ＡＮＤＳＦ  ＭＯルーティングポリシーを適用することと併せて、１又は複数のＲＡＮルールを無視させる複数の命令を備える、例１２９の少なくとも１つの非一時的コンピュータ可読記憶媒体である。
【０２００】
例１３７は、ユーザ機器（ＵＥ）で、アクセスネットワーク発見選択機能（ＡＮＤＳＦ）管理オブジェクト（ＭＯ）を、ＵＥのサービング公衆陸上移動ネットワーク（ＰＬＭＮ）のシステム間ルーティングポリシー（ＩＳＲＰ）で構成する段階と、ＵＥの処理回路によって、１又は複数のアクセス閾値を備える受信された無線アクセスネットワーク（ＲＡＮ）補助情報を処理する段階と、１又は複数のアクセス閾値に基づいて、ＩＳＲＰの１又は複数の閾値条件を評価することによって、ＩＳＲＰに従って、複数の無線アクセスインターフェースにわたってインターネットプロトコル（ＩＰ）トラフィックをルーティングする段階とを備える無線通信方法である。
【０２０１】
例１３８は、サービングＰＬＭＮに対するＡＮＤＳＦサーバから発信するＡＮＤＳＦ情報に基づいて、ＡＮＤＳＦ  ＭＯを構成する段階を備える、例１３７の無線通信方法である。
【０２０２】
例１３９は、例１３７の無線通信方法であって、複数の無線アクセスインターフェースは、第３世代パートナーシッププロジェクト（３ＧＰＰ）無線アクセスインターフェースと、無線ローカルエリアネットワーク（ＷＬＡＮ）無線アクセスインターフェースとを含む。
【０２０３】
例１４０は、例１３７の無線通信方法であって、１又は複数のアクセス閾値は、１又は複数の基準信号受信電力（ＲＳＲＰ）閾値を含む。
【０２０４】
例１４１は、例１３７の無線通信方法であって、１又は複数のアクセス閾値は、１又は複数の基準信号受信品質（ＲＳＲＱ）閾値を含む。
【０２０５】
例１４２は、例１３７の無線通信方法であって、１又は複数のアクセス閾値は、１又は複数の基本サービスセット（ＢＳＳ）負荷閾値を含む。
【０２０６】
例１４３は、例１３７の無線通信方法であって、１又は複数のアクセス閾値は、１又は複数のバックホール閾値を含む。
【０２０７】
例１４４は、１又は複数のアクセス閾値に基づいて、ＩＳＲＰの１又は複数の閾値条件を評価し、ＲＡＮ補助情報に含まれるオフロードプレファレンスインジケータ（ＯＰＩ）に基づいて、ＩＳＲＰのＯＰＩ条件を評価することによって、ＩＳＲＰに従って、複数の無線アクセスインターフェースにわたってＩＰトラフィックをルーティングする段階を備える、例１３７の無線通信方法である。
【０２０８】
例１４５は、複数の命令のセットを備える、少なくとも１つの非一時的コンピュータ可読記憶媒体であって、複数の命令のセットは、コンピューティングデバイス上で実行されたことに応答して、コンピューティングデバイスに、例１３７から１４４の何れかによる無線通信方法を実行させる。
【０２０９】
例１４６は、例１３７から１４４の何れかによる無線通信方法を実行する手段を備える装置である。
【０２１０】
例１４７は、例１４６の装置と、少なくとも１つの無線周波数（ＲＦ）送受信機と、少なくとも１つのＲＦアンテナとを備えるシステムである。
【０２１１】
例１４８は、少なくとも１つのメモリユニットと、タッチスクリーンディスプレイとを備える、例１４７のシステムである。
【０２１２】
複数の実施形態について深い理解を提供すべく、多数の具体的な詳細が本明細書において説明された。しかし、複数の実施形態がこれらの具体的な詳細なしで実施し得ることは、当業者によって理解されよう。他の複数の例において、周知の複数の動作、複数のコンポーネント、及び複数の回路は、複数の実施形態を曖昧にしないよう、詳細には説明されていない。本明細書中に開示した特定の構造的及び機能的詳細は、典型的なものであり得、複数の実施形態の範囲を必ずしも制限するものではないと、理解され得る。
【０２１３】
いくつかの実施形態は、「結合」及び「接続」という表現と共にそれらの複数の派生語を用いて説明され得る。これらの用語は、互いに対する同義語として意図されるものではない。例えば、いくつかの実施形態は、２つ又はそれより多い要素が、互いに直接物理的又は電気的に接触していることを示すべく、「接続され」及び／又は「結合され」という用語を用いて説明され得る。しかしながら、「結合され」という用語はまた、２つ又はそれより多い要素が、互いに直接接触していないが、それでも互いに協働又は連携することを意味し得る。
【０２１４】
具体的に明記されない限り、「処理」、「コンピューティング」、「算出」、「決定」等のような用語は、コンピュータもしくはコンピューティングシステム、又は、物理（例えば、電子）量として表されるコンピューティングシステムの複数のレジスタ及び／又は複数のメモリ内のデータを、同様に物理量として表されるコンピューティングシステムの複数のメモリ、複数のレジスタ又は他のそのような情報ストレージ、複数の送信又は表示デバイス内の他のデータに操作及び／又は変換する同様の電子コンピューティングデバイス作用及び／又は処理を指すことが理解され得る。複数の実施形態は、この文脈に限定されない。
【０２１５】
本明細書において説明された複数の方法は、説明された順序又は任意の特定の順序で実行される必要はないことに留意すべきである。更に、本明細書において特定された複数の方法に関して説明された様々なアクティビティは、連続的又は並列的な態様で実行可能である。
【０２１６】
複数の具体的な実施形態が本明細書において示され及び説明されたが、同一の目的を達成するように計算された任意の構成が、示された複数の具体的な実施形態の代替となり得ることを理解すべきである。本開示は、様々な実施形態のありとあらゆる改作又は変形を包含するよう意図されている。上述された説明は、例示的態様でなされたものであり、限定的なものではないことを理解されたい。上述された複数の実施形態と、本明細書では具体的に説明されていない他の複数の実施形態との組み合わせは、上述された説明を読めば、当業者にとっては自明であろう。したがって、様々な実施形態の範囲は、上述の複数の構成、複数の構造及び複数の方法が用いられる任意の他の複数の用途を含む。
【０２１７】
開示の要約書は、読者が技術的な開示の本質を迅速に確認することを可能とする要約を要求する、３７Ｃ．Ｆ．Ｒ（米国特許法施行規則）セクション１．７２（ｂ）に準拠して提供されることが強調される。それは、特許請求の範囲の範囲又は意味を解釈又は限定するのに用いられないという理解のもとで提出される。加えて、上記の詳細な説明では、複数の様々な機能が、開示を効率的にする目的で、単一の実施形態においてグループ化されていることが分かり得る。本開示の方法は、請求された複数の実施形態が、各請求項に明示的に記載されたものより多くの機能を必要とするという意図を反映するものとして解釈されるべきではない。むしろ、以下の特許請求の範囲が反映するように、本発明の主題は、単一の開示された実施形態の全ての機能よりも少ないことにある。したがって、以下の複数の請求項は、本明細書において、詳細な説明に組み込まれ、各請求項は、それ自体が、別個の好ましい実施形態として独立している。添付の特許請求の範囲において、用語「含む（ｉｎｃｌｕｄｉｎｇ）」及び「その中で（ｉｎ  ｗｈｉｃｈ）」は、それぞれ、個別の用語「備える（ｃｏｍｐｒｉｓｉｎｇ）」及び「そこで（ｗｈｅｒｅｉｎ）」に相当する平易な英語として用いられる。  更に、「第１の」、「第２の」及び「第３の」等の複数の用語は、単にラベルとして用いられており、それらの対象物に、複数の数的な要件を課すことが意図されるものではない。
【０２１８】
発明の主題が、複数の構造的な特徴及び／又は方法論的な動作に特有の言語で説明されてきたが、添付の特許請求の範囲に定義される発明の主題は、上述の複数の具体的な特徴又は動作に必ずしも限定されるものではないことが理解されるべきである。むしろ、上述の複数の具体的な特徴及び動作は、特許請求の範囲を実装する複数の例示的形態として開示されている。
【図１】
0006383426.tif 000002
【図２】
0006383426.tif 000003
【図３】
0006383426.tif 000004
【図４】
0006383426.tif 000005
【図５】
0006383426.tif 000006
【図６】
0006383426.tif 000007
【図７】
0006383426.tif 000008
【図８】
0006383426.tif 000009
【図９】
0006383426.tif 000010
【図１０】
0006383426.tif 000011
【図１１】
0006383426.tif 000012
【図１２】
0006383426.tif 000013
【図１３】
0006383426.tif 000014